(57)【要約】      （修正有）【課題】光プリントヘッドが露光位置から退避位置に向けて移動動作により、レンズの光出射面を十分に清掃することができる画像形成装置を提供する。【解決手段】移動機構によって露光位置から退避位置に向けて移動する光プリントヘッドの保持体５０５の下側が、鉛直方向上側から突き当たる第１座面および第２座面を配置する。これにより、開口部７００に差し込まれた棒状の清掃部材５７２に設けられた摺擦部の移動経路上に、第１座面および第２座面に当接した保持体５０５が保持するレンズアレイ５０６の光出射面が位置する。【選択図】図２４
2019001104.tif 000002
【特許請求の範囲】
【請求項１】
回転可能に支持された感光ドラムを備える画像形成装置において、
前記感光ドラムを露光するための光を出射する発光素子と、前記光を前記感光ドラム表面に集光させるレンズと、前記発光素子と前記レンズとを保持する保持体と、を備える光プリントヘッドと、
前記発光素子に前記感光ドラムを露光させる露光位置と前記レンズの光出射面を清掃するために前記光プリントヘッドを前記露光位置から移動させる移動機構と、
前記レンズの光出射面を摺擦して清掃する摺擦部が先端側に設けられ、把持される把持部が後端側に形成された棒状の清掃部材を画像形成装置本体の外側から差し込むために、前記感光ドラムの回転軸線方向における前記光プリントヘッドの一端より外側に設けられた差し込み部と、
前記移動機構によって前記露光位置から移動した前記光プリントヘッドの前記保持体が、鉛直方向上側から突き当たる画像形成装置本体に固定された突き当て部と、を備え、
前記差し込み部に差し込まれた前記清掃部材に設けられた前記摺擦部の移動経路上に、前記突き当て部に当接した前記保持体が保持する前記レンズの光出射面が位置することを特徴とする画像形成装置。
【請求項２】
前記突き当て部は前記回転軸線方向における前記保持体の一端より鉛直方向下側に配置されていることを特徴とする請求項１に記載の画像形成装置。
【請求項３】
前記突き当て部と前記差し込み部とは一体的に成形された成形物であることを特徴とする請求項２に記載の画像形成装置。
【請求項４】
前記移動機構の前記回転軸線方向における一端側は前記差し込み部と前記突き当て部とが形成された支持部に取り付けられており、
前記支持部は、画像形成装置本体の前側板に固定されることを特徴とする請求項１から請求項３のいずれか１項に記載の画像形成装置。
【請求項５】
前記突き当て部は、前記回転軸線方向における前記保持体の一端より鉛直方向下側に配置されている第１突き当て部と、前記回転軸線方向における前記保持体の他端より鉛直方向下側に配置されている第２突き当て部と、を備えることを特徴とする請求項１に記載の画像形成装置。
【請求項６】
前記第１突き当て部と前記差し込み部とは一体的に成形された成形物であることを特徴とする請求項５に記載の画像形成装置。
【請求項７】
前記移動機構の前記回転軸線方向における一端側は前記差し込み部と前記第１突き当て部とが形成された第１支持部に取り付けられており、
前記移動機構の前記回転軸線方向における他端側は前記第２突き当て部が形成された第２支持部に取り付けられており、
前記第１支持部は画像形成装置本体の前側板に固定され、前記第２支持部は画像形成装置本体の後側板に固定されることを特徴とする請求項５または請求項６に記載の画像形成装置。
【請求項８】
回転可能に支持された感光ドラムを備える画像形成装置において、
前記感光ドラムを露光するための光を出射する発光素子と、前記光を前記感光ドラム表面に集光させるレンズと、前記発光素子と前記レンズとを保持し、前記発光素子に前記感光ドラムを露光させる露光位置と前記レンズの光出射面を清掃するために前記感光ドラムから退避した退避位置とを往復移動する保持体と、を備える光プリントヘッドと、
前記感光ドラムの回転軸線方向にスライド移動するスライド部と、
前記スライド部をスライド移動可能に支持するスライド支持部と、
一端側が前記スライド部に対し回動可能に取り付けられ、かつ、他端側が前記保持体に対し回動可能に取り付けられ、前記スライド部がスライド移動することにより、前記保持体を前記往復移動させるリンク部と、
前記レンズの光出射面を摺擦して清掃する摺擦部が先端側に設けられ、把持される把持部が後端側に形成された棒状の清掃部材を画像形成装置本体の外側から差し込むために、前記回転軸線方向における前記光プリントヘッドの一端より外側に設けられた差し込み部と、
前記保持体を前記退避位置とするために、スライド移動するスライド部に形成された当接部が、前記スライド移動方向に突き当たることで前記スライド部の前記スライド移動と前記リンク部の回動とを停止させる突き当て部であって、前記回転軸線方向において前記当接部と対向するように前記スライド支持部に設けられた前記突き当て部と、を備え、
前記差し込み部に差し込まれた前記清掃部材に設けられた前記摺擦部の移動経路上に、前記退避位置である前記保持体が保持する前記レンズの光出射面が位置することを特徴とする画像形成装置。
【請求項９】
前記スライド部には前記回転軸線方向に延び前記回転軸線方向に交差する方向に貫通した長尺の開口が形成され、前記開口には前記スライド支持部が備える前記突き当て部が緩嵌しており、
前記スライド部のスライド移動と共に前記突き当て部が前記開口内において、前記回転軸線方向に移動することを特徴とする請求項８に記載の画像形成装置。
【請求項１０】
前記当接部は前記回転軸線方向における前記開口の縁のうち一端側の縁に形成されており、
前記スライド部を前記回転軸線方向における一端側から他端側へ向かう方向にスライド移動させると、前記光プリントヘッドは前記露光位置から前記退避位置へと向かう方向に移動し、
前記スライド移動する前記スライド部の前記当接部が前記突き当て部に突き当たると前記スライド部の前記スライド移動は停止し、前記光プリントヘッドが前記退避位置となることを特徴とする請求項９に記載の画像形成装置。
【請求項１１】
前記当接部は前記回転軸線方向における前記開口の縁のうち他端側の縁に形成されており、
前記スライド部を前記回転軸線方向における他端側から一端側へ向かう方向にスライド移動させると、前記光プリントヘッドは前記露光位置から前記退避位置へと向かう方向に移動し、
前記スライド移動する前記スライド部の前記当接部が前記突き当て部に突き当たると前記スライド部の前記スライド移動は停止し、前記光プリントヘッドが前記退避位置となることを特徴とする請求項９に記載の画像形成装置。
【請求項１２】
回転可能に支持された感光ドラムを有する画像形成装置において、
前記感光ドラムを露光するための光を出射する発光素子と、前記光を前記感光ドラム表面に集光させるレンズと、前記発光素子と前記レンズとを保持し、前記発光素子に前記感光ドラムを露光させる露光位置と前記レンズの光出射面を清掃するために前記感光ドラムから退避した退避位置とを往復移動する保持体と、を備える光プリントヘッドと、
前記感光ドラムの回転軸線方向にスライド移動するスライド部と、
前記スライド部をスライド移動可能に支持するスライド支持部と、
一端側が前記スライド部に対し回動可能に取り付けられ、かつ、他端側が前記保持体に対し回動可能に取り付けられ、前記スライド部がスライド移動することにより、前記保持体を前記往復移動させるリンク部と、
前記レンズの光出射面を摺擦して清掃する摺擦部が先端側に設けられ、把持される把持部が後端側に形成された棒状の清掃部材を画像形成装置本体の外側から差し込むために、前記回転軸線方向における前記光プリントヘッドの一端より外側に設けられた差し込み部と、
前記保持体を前記退避位置とするために、前記スライド部の前記スライド移動によって、回動しながら前記保持体を前記露光位置から前記退避位置に向けて移動させる前記リンク部の一端側が前記スライド移動方向に突き当たることで前記リンク部の前記回動を停止させる突き当て部であって、前記回転軸線方向において前記リンク部の一端側と対向するように前記スライド支持部に設けられた前記突き当て部と、を備え、
前記差し込み部に差し込まれた前記清掃部材に設けられた前記摺擦部の移動経路上に、前記退避位置である前記保持体が備える前記レンズの光出射面が位置することを特徴とする画像形成装置。
【請求項１３】
前記回転軸線方向における前記スライド支持部の一端側は画像形成装置本体の前側板に固定され、前記回転軸線方向における前記スライド支持部の他端側は画像形成装置本体の後側板に固定されることを特徴とする請求項８から請求項１２のいずれか１項に記載の画像形成装置。
【請求項１４】
前記差し込み部は、前記差し込み部に差し込まれた前記清掃部材が前記回転軸線方向に交差する方向へ移動することを規制して前記感光ドラムの回転軸線方向に沿う方向への移動を案内することを特徴とする請求項１から請求項１３のいずれか１項に記載の画像形成装置。
【請求項１５】
前記感光ドラムは、複数設けられており各々が異なる色に対応していることを特徴とする請求項１から請求項１４のいずれか１項に記載の画像形成装置。
【請求項１６】
前記発光素子は、前記感光ドラムの回転軸線よりも鉛直方向下側に設けられており、前記感光ドラムの表面の下方を露光することを特徴とする請求項１から請求項１５のいずれか１項に記載の画像形成装置。
【発明の詳細な説明】
【技術分野】
【０００１】
本発明は、光プリントヘッドが備えるレンズの光出射面を容易に清掃することができる画像形成装置に関する。
【背景技術】
【０００２】
プリンタや複写機等の画像形成装置は、感光ドラムを露光するための複数の発光素子を備える光プリントヘッドを有する。光プリントヘッドには、発光素子の例としてＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）等を用いるものがあり、これらの発光素子が感光ドラムの回転軸線方向に沿って、例えば１列や千鳥状の２列に複数配列されたものが知られている。また、光プリントヘッドは、複数の発光素子から出射される光を感光ドラムに集光させるための複数のレンズを備える。複数のレンズは、複数の発光素子と感光ドラムとの間において、発光素子の配列方向に沿うように感光ドラム表面に対向して配置される。複数の発光素子から出射された光は、レンズを介し感光ドラム表面に集光し、感光ドラム上に静電潜像が形成される。
【０００３】
感光ドラムは消耗品であるため定期的に交換される。感光ドラム等の交換作業を行う作業者は、感光ドラムを有する交換ユニットを交換することで、画像形成装置のメンテナンスを行うことができる。交換ユニットは、画像形成装置本体の側面から装置本体に対するスライド移動により抜き差しされることで画像形成装置本体に対して着脱可能な構成となっている。感光ドラムを露光する際の光プリントヘッドの位置である露光位置（ドラム表面に接近して対向する位置）において、レンズと感光ドラム表面との間隔は非常に狭い。よって、交換ユニットの交換時には光プリントヘッドを露光位置から退避させないと光プリントヘッドと感光ドラム等が接触し、感光ドラム表面およびレンズが傷ついてしまう可能性がある。そこで画像形成装置は、光プリントヘッドを、露光位置と交換ユニットを着脱するために露光位置よりも交換ユニットから退避した退避位置との間に往復移動させる機構を設ける必要がある。
【０００４】
ここで、画像形成装置において光プリントヘッドのような露光手段は帯電器と現像器との間に設けられることがある。装置の小型化を実現するためには、感光ドラムや光プリントヘッド、帯電器、現像器等の相互間の距離を可能な限り近付けることが有効な手段である。このことから、光プリントヘッドが備えるレンズの光出射面が感光ドラムや現像器から落下したトナーによって汚れるという問題があった。レンズの光出射面の汚れは、発光素子から出射される光を部分的に遮光する可能性があり、出力画像の画質低下を生む一原因となる。そこで、このような画質低下を生む原因となる光プリントヘッドにおける光出射面の汚れを防ぐため、その清掃手段が提案されている。清掃手段の一例として、例えば特許文献１のような例がある。
【０００５】
特許文献１に記載の画像形成ユニット１１は、感光ドラム１２、帯電器１３、ＬＰＨ１４及び現像器１５を保持する匡体の一例としてハウジング１９を備える。清掃部材５０をハウジング１９に形成された挿入口６０に挿入することで、清掃部材５０に設けられたブレード５２が、ＬＰＨ１４が備えるロッドレンズアレイ４３の光出射面を摺擦する。また、清掃部材５０のブレード５２が設けられた側とは反対側に設けられた保護部材５３が感光ドラム１２の表面を摺擦する構造が開示されている。清掃部材５０を操作（挿入口６０に対して抜き差し）することで、ブレード５２がロッドレンズアレイ４３の光出射面を清掃する。また、特許文献１には、清掃部材５０をハウジング１９に形成された挿入口６０に通す際、清掃部材５０の長手方向に亘って形成された凸状の案内部５４が、挿入口６０に設けられた溝に嵌ることで、清掃部材５０の移動方向がＸ方向に方向付けられる構造が開示されている。このような構造にすることで、清掃部材５０が例えば感光ドラム１２の端部等に引っ掛かることを減らすことができ、滑らかに操作することができる。
【先行技術文献】
【特許文献】
【０００６】
【特許文献１】特開２０１０−２３０９５４号公報
【発明の概要】
【発明が解決しようとする課題】
【０００７】
しかしながら、特許文献１に示された構成では、清掃部材５０を操作すると保護部材５３が感光ドラム１２の表面を摺擦するため、感光ドラム１２の更なる長寿命化を達成するにあたり最適な構成とは言い難い。そこで、清掃時に清掃部材５０を操作しても清掃部材５０と感光ドラム１２とが接触しない位置までＬＰＨ１４を感光ドラム１２から退避させる構成を画像形成装置に設けることが考えられ得る。当該構成を実現する方法の一つとして、ＬＰＨ１４が有する発光素子が感光ドラム１２を露光する際の露光位置において感光ドラム１２とロッドレンズアレイ４３の光出射面とが形成する間隔よりも当該間隔が広くなるようにＬＰＨ１４を移動させる移動機構を設ける方法がある。
【０００８】
上記移動機構によって、ＬＰＨ１４が感光ドラム１２から離間させられた状態において、清掃部材５０を挿入口６０に差し込んだ場合に、ブレード５２の移動経路上よりも下側にロッドレンズアレイ４３の光出射面が位置すると、ブレード５２が十分に光出射面を摺擦しない可能性がある。
【課題を解決するための手段】
【０００９】
上記課題に対して、本願発明の画像形成装置は、回転可能に支持された感光ドラムを備える画像形成装置において、前記感光ドラムを露光するための光を出射する発光素子と、前記光を前記感光ドラム表面に集光させるレンズと、前記発光素子と前記レンズとを保持する保持体と、を備える光プリントヘッドと、前記発光素子に前記感光ドラムを露光させる露光位置と前記レンズの光出射面を清掃するために前記光プリントヘッドを前記露光位置から移動させる移動機構と、前記レンズの光出射面を摺擦して清掃する摺擦部が先端側に設けられ、把持される把持部が後端側に形成された棒状の清掃部材を画像形成装置本体の外側から差し込むために、前記感光ドラムの回転軸線方向における前記光プリントヘッドの一端より外側に設けられた差し込み部と、前記移動機構によって前記露光位置から移動した前記光プリントヘッドの前記保持体が、鉛直方向上側から突き当たる画像形成装置本体に固定された突き当て部と、を備え、前記差し込み部に差し込まれた前記清掃部材に設けられた前記摺擦部の移動経路上に、前記突き当て部に当接した前記保持体が保持する前記レンズの光出射面が位置することを特徴とする。
【００１０】
また、本願発明の画像形成装置は、回転可能に支持された感光ドラムを備える画像形成装置において、前記感光ドラムを露光するための光を出射する発光素子と、前記光を前記感光ドラム表面に集光させるレンズと、前記発光素子と前記レンズとを保持し、前記発光素子に前記感光ドラムを露光させる露光位置と前記レンズの光出射面を清掃するために前記感光ドラムから退避した退避位置とを往復移動する保持体と、を備える光プリントヘッドと、前記感光ドラムの回転軸線方向にスライド移動するスライド部と、前記スライド部をスライド移動可能に支持するスライド支持部と、一端側が前記スライド部に対し回動可能に取り付けられ、かつ、他端側が前記保持体に対し回動可能に取り付けられ、前記スライド部がスライド移動することにより、前記保持体を前記往復移動させるリンク部と、前記レンズの光出射面を摺擦して清掃する摺擦部が先端側に設けられ、把持される把持部が後端側に形成された棒状の清掃部材を画像形成装置本体の外側から差し込むために、前記回転軸線方向における前記光プリントヘッドの一端より外側に設けられた差し込み部と、前記保持体を前記退避位置とするために、スライド移動するスライド部に形成された当接部が、前記スライド移動方向に突き当たることで前記スライド部の前記スライド移動と前記リンク部の回動とを停止させる突き当て部であって、前記回転軸線方向において前記当接部と対向するように前記スライド支持部に設けられた前記突き当て部と、を備え、前記差し込み部に差し込まれた前記清掃部材に設けられた前記摺擦部の移動経路上に、前記退避位置である前記保持体が保持する前記レンズの光出射面が位置することを特徴とする。
【００１１】
また、本願発明の画像形成装置は、回転可能に支持された感光ドラムを有する画像形成装置において、前記感光ドラムを露光するための光を出射する発光素子と、前記光を前記感光ドラム表面に集光させるレンズと、前記発光素子と前記レンズとを保持し、前記発光素子に前記感光ドラムを露光させる露光位置と前記レンズの光出射面を清掃するために前記感光ドラムから退避した退避位置とを往復移動する保持体と、を備える光プリントヘッドと、前記感光ドラムの回転軸線方向にスライド移動するスライド部と、前記スライド部をスライド移動可能に支持するスライド支持部と、一端側が前記スライド部に対し回動可能に取り付けられ、かつ、他端側が前記保持体に対し回動可能に取り付けられ、前記スライド部がスライド移動することにより、前記保持体を前記往復移動させるリンク部と、前記レンズの光出射面を摺擦して清掃する摺擦部が先端側に設けられ、把持される把持部が後端側に形成された棒状の清掃部材を画像形成装置本体の外側から差し込むために、前記回転軸線方向における前記光プリントヘッドの一端より外側に設けられた差し込み部と、前記保持体を前記退避位置とするために、前記スライド部の前記スライド移動によって、回動しながら前記保持体を前記露光位置から前記退避位置に向けて移動させる前記リンク部の一端側が前記スライド移動方向に突き当たることで前記リンク部の前記回動を停止させる突き当て部であって、前記回転軸線方向において前記リンク部の一端側と対向するように前記スライド支持部に設けられた前記突き当て部と、を備え、前記差し込み部に差し込まれた前記清掃部材に設けられた前記摺擦部の移動経路上に、前記退避位置である前記保持体が備える前記レンズの光出射面が位置することを特徴とする。
【発明の効果】
【００１２】
本発明によれば、光プリントヘッドが露光位置から退避位置に向けて移動していくと、保持体の下側が突き当て部に突き当たり、光プリントヘッドが退避位置に配置される。退避位置に配置された光プリントヘッドのレンズの光出射面は、差し込み部に差し込まれた清掃部材に設けられた摺擦部の移動経路上に位置するため、レンズの光出射面を十分に清掃することができる。
【図面の簡単な説明】
【００１３】
【図１】画像形成装置の概略断面図。
【図２】画像形成装置におけるドラムユニット周囲の斜視図。
【図３】露光ユニットの概略斜視図。
【図４】光プリントヘッドの、感光ドラムの回転軸線に垂直な方向の断面図。
【図５】光プリントヘッドの基板、ＬＥＤチップ、およびレンズアレイを説明するための概略図。
【図６】光プリントヘッドの側面図。
【図７】光プリントヘッドがドラムユニットに当接した状態と退避した状態を示す図。
【図８】ドラムユニットの後側に取り付けられるブッシュの斜視図。
【図９】第１支持部、および第３支持部の斜視図。
【図１０】第２支持部、後側板、および第２支持部に取り付けられる露光ユニットの斜視図。
【図１１】第１支持部を不図示とした移動機構の斜視図。
【図１２】λ型の第１リンク機構の側面図。
【図１３】露光ユニットの概略斜視図。
【図１４】移動機構を説明する図。
【図１５】Ｘ型の移動機構を説明する図。
【図１６】カム機構を用いた移動機構を説明する図。
【図１７】カバーの斜視図。
【図１８】カバーが閉じられる際の動作を説明するためのカバーの斜視図。
【図１９】カバーが閉じられる際の動作を説明するためのカバーの側面図
【図２０】カバーが開けられる際の動作を説明するためのカバーの斜視図。
【図２１】カバーが開けられる際の動作を説明するためのカバーの側面図。
【図２２】保持体の両端の構造を説明するための斜視図。
【図２３】保持体の他端の構造を説明するための側面図。
【図２４】清掃部材および清掃部材を開口部に差し込まれた状態を説明する図。
【図２５】清掃部材の構造について説明する図。
【図２６】保持体のレンズ取付部の斜視図。
【図２７】開口部および保持体に清掃部材の移動が規制される様子を説明する図。
【図２８】当接ピン、レンズアレイの位置関係を説明する図。
【図２９】実施例２および実施例３の突き当て部（停止機構）について説明するための図。
【発明を実施するための形態】
【００１４】
（実施例）
（画像形成装置）
まず、画像形成装置１の概略構成を説明する。図１は画像形成装置１の概略断面図である。図１に示す画像形成装置１は読取装置を備えていないカラープリンタ（ＳＦＰ：Ｓｍａｌｌ  Ｆｕｎｃｔｉｏｎ  Ｐｒｉｎｔｅｒ）であるが、実施の形態は読取装置を備える複写機であってもよい。また、実施の形態は、図１に示すような複数の感光ドラム１０３を備えるカラー画像形成装置に限られず、１つの感光ドラム１０３を備えるカラー画像形成装置やモノクロ画像を形成する画像形成装置でも良い。
【００１５】
図１に示す画像形成装置１は、イエロー、マゼンタ、シアン、ブラックの各色のトナー像を形成する４基の画像形成部１０２Ｙ、１０２Ｍ、１０２Ｃ、１０２Ｋ（以下、総称して単に「画像形成部１０２」とも称する）を備える。また、画像形成部１０２Ｙ、１０２Ｍ、１０２Ｃ、１０２Ｋは、それぞれ感光ドラム１０３Ｙ、１０３Ｍ、１０３Ｃ、１０３Ｋ（以下、総称して単に「感光ドラム１０３」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋをそれぞれ帯電させる帯電器１０４Ｙ、１０４Ｍ、１０４Ｃ、１０４Ｋ（以下、総称して単に「帯電器１０４」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋを露光する光を出射する露光光源としてのＬＥＤ（Ｌｉｇｈｔ  Ｅｍｉｔｔｉｎｇ  Ｄｉｏｄｅ、以下ＬＥＤと記載）露光ユニット５００Ｙ、５００Ｍ、５００Ｃ、５００Ｋ（以下、総称して単に「露光ユニット５００」とも称する）を備える。さらに、画像形成部１０２Ｙ、１０２Ｍ、１０２Ｃ、１０２Ｋは、感光ドラム１０３上の静電潜像をトナーによって現像し、感光ドラム１０３上に各色のトナー像を現像する現像器１０６Ｙ、１０６Ｍ、１０６Ｃ、１０６Ｋ（以下、総称して単に「現像器１０６」とも称する）を備える。符号に付されたＹ、Ｍ、Ｃ、Ｋはトナーの色を示している。
【００１６】
画像形成装置１は、感光ドラム１０３に形成されたトナー像が転写される中間転写ベルト１０７、各画像形成部１０２の感光ドラム１０３に形成されたトナー像を当該中間転写ベルトに順次転写させる一次転写ローラ１０８（Ｙ、Ｍ、Ｃ、Ｋ）を備える。また、画像形成装置１は、中間転写ベルト１０７上のトナー像を給紙部１０１から搬送されてきた記録紙Ｐに転写させる二次転写ローラ１０９、二次転写された画像を記録紙Ｐに定着させる定着器１００を備える。
【００１７】
（ドラムユニット）
続いて、本実施例に係る画像形成装置１に着脱可能な交換ユニットの一例であるドラムユニット５１８（Ｙ、Ｍ、Ｃ、Ｋ）および現像ユニット６４１（Ｙ、Ｍ、Ｃ、Ｋ）について説明する。図２（ａ）は、画像形成装置１が備えるドラムユニット５１８及び現像ユニット６４１周囲の概略斜視図である。また、図２（ｂ）は画像形成装置１に対して装置本体の外側から挿入途中の状態のドラムユニット５１８を示す図である。
【００１８】
図２（ａ）に示すように、画像形成装置１は、板金で形成される前側板６４２と後側板６４３を備える。前側板６４２は画像形成装置１の正面側に設けられた側壁である。一方、後側板６４３は画像形成装置１の背面側に設けられた側壁である。図２（ａ）に示すように、前側板６４２と後側板６４３は対面して配置され、それらの間には梁としての不図示の板金が橋架されている。前側板６４２、後側板６４３、および不図示の梁はそれぞれ、画像形成装置１の枠体の一部を構成する。
【００１９】
画像形成装置１の正面側からドラムユニット５１８、および現像ユニット６４１を挿抜できるように、前側板６４２には開口が形成されている。ドラムユニット５１８、および現像ユニット６４１は、開口を通して画像形成装置１本体の所定の位置（装着位置）に装着される。また、画像形成装置１は、装着位置に装着されたドラムユニット５１８と現像ユニット６４１の正面側を覆うカバー５５８（Ｙ、Ｍ、Ｃ、Ｋ）を備える。カバー５５８は、一端がヒンジによって画像形成装置１本体に固定されており、ヒンジによって画像形成装置１本体に対して回動可能となっている。メンテナンスを行う作業者がカバー５５８を開いて本体内のドラムユニット５１８あるいは現像ユニット６４１を取り出し、新しいドラムユニット５１８あるいは現像ユニット６４１を挿入してカバー５５８を閉じることによってユニットの交換作業が完了する。カバー５５８についての詳しい説明は後述する。
【００２０】
図２（ａ）および図２（ｂ）に示すように、以下の説明では前側板６４２側を前側、後側板６４３側を後側と定義する。また、ブラックのトナー像に関する静電潜像が形成される感光ドラム１０３Ｋを基準としたとき、イエローのトナー像に関する静電潜像が形成される感光ドラム１０３Ｙが配置されている側を右側と定義する。また、イエローのトナー像に関する静電潜像が形成される感光ドラム１０３Ｙを基準としたとき、ブラックのトナー像に関する静電潜像が形成される感光ドラム１０３Ｋが配置されている側を左側と定義する。さらに、ここで定義した前後方向及び左右方向に垂直な方向であって鉛直方向上向きを上方向、また、ここで定義した前後方向及び左右方向に垂直な方向であって鉛直方向下向きを下方向と定義する。定義した前方向、後方向、右方向、左方向、上方向、下方向を図２に示す。また、以下の本文で記載する感光ドラム１０３の回転軸線方向における一端側はここで定義する前側を意味し、他端側はここで定義する後側を意味する。前後方向における一端側および他端側に関してもここで定義する前側および後側に対応する。左右方向における一端側はここで定義する右側を意味し、他端側はここで定義する左側を意味する。
【００２１】
本実施例の画像形成装置１にはドラムユニット５１８が取り付けられる。ドラムユニット５１８は、交換されるカートリッジである。本実施例のドラムユニット５１８はドラムユニット５１８の筐体に対して回転可能に支持された感光ドラム１０３を備える。ドラムユニット５１８は、感光ドラム１０３、帯電器１０４、及び不図示のクリーニング装置を備えている。感光ドラム１０３が、例えばクリーニング装置によるクリーニングによって摩耗するなどして寿命を迎えた際に、図２（ｂ）に示すようにメンテナンスを行う作業者がドラムユニット５１８を装置本体から取り出して感光ドラム１０３を交換する。ドラムユニット５１８は、帯電器１０４、及びクリーニング装置を備えておらず、感光ドラム１０３を備えていた構成でも良い。
【００２２】
本実施例の画像形成装置１にはドラムユニット５１８とは別体の現像ユニット６４１が取り付けられている。現像ユニット６４１は図１に示す現像器１０６を含む。現像器１０６は、現像剤を担持する現像剤担持体であるところの現像スリーブを備える。現像ユニット６４１にはトナーとキャリアを攪拌するためのスクリュを回転させるためのギアが複数設けられている。これらのギアが経年劣化等した際には、メンテナンスを行う作業者が現像ユニット６４１を画像形成装置１の装置本体から取り出して交換する。本実施例の現像ユニット６４１は、現像スリーブを備える現像器１０６とスクリュが設けられたトナー収容部とが一体化されたカートリッジである。なお、ドラムユニット５１８および現像ユニット６４１の実施の形態は、上記ドラムユニット５１８と現像ユニット６４１が一体化されたプロセスカートリッジでも良い。
【００２３】
（画像形成プロセス）
次に、画像形成プロセスについて説明する。後述する光プリントヘッド１０５Ｙは帯電器１０４Ｙによって帯電された感光ドラム１０３Ｙの表面を露光する。これにより、感光ドラム１０３Ｙには静電潜像が形成される。次に、現像器１０６Ｙは感光ドラム１０３Ｙに形成された静電潜像をイエローのトナーによって現像する。感光ドラム１０３Ｙの表面に現像されたイエローのトナー像は、一次転写部Ｔｙにおいて一次転写ローラ１０８Ｙによって中間転写ベルト１０７に転写される。マゼンタ、シアン、ブラックのトナー像も同様の画像形成プロセスで中間転写ベルト１０７に転写される。
【００２４】
中間転写ベルト１０７上に転写された各色のトナー像は、中間転写ベルト１０７によって二次転写部Ｔ２まで搬送される。二次転写部Ｔ２に配置された二次転写ローラ１０９にはトナー像を記録紙Ｐに転写するための転写バイアスが印加されている。二次転写部Ｔ２まで搬送されたトナー像は、二次転写ローラ１０９の転写バイアスによって、給紙部１０１から搬送されてきた記録紙Ｐに転写される。トナー像が転写された記録紙Ｐは定着器１００に搬送される。定着器１００は、熱と圧力によって記録紙Ｐにトナー像を定着させる。定着器１００によって定着処理がなされた記録紙Ｐは、排紙部１１１に排出される。
【００２５】
（露光ユニット）
光プリントヘッド１０５を含む露光ユニット５００について説明する。図３は、本実施例の画像形成装置１が備える露光ユニット５００の概略斜視図である。図４は、図３に示す露光ユニット５００と、及び露光ユニット５００の上側に配置される感光ドラム１０３と、を感光ドラム１０３の回転軸線方向に垂直な面で切断した概略断面図である。露光ユニット５００は、光プリントヘッド１０５と移動機構６４０を含む。
【００２６】
光プリントヘッド１０５は、レンズアレイ５０６（レンズ）と基板５０２とを保持する保持体５０５と、当接ピン５１４と、当接ピン５１５と、を備える。詳細は後述するが、当接ピン５１４は、感光ドラム１０３の回転軸線方向における保持体５０５の一端側（前側）であって、ドラムユニット５１８側に突き出ている。また、当接ピン５１５は、感光ドラム１０３の回転軸線方向における保持体５０５の他端側（後側）であって、ドラムユニット５１８側に突き出ている。移動機構６４０は、第１リンク機構８６１と、第２リンク機構８６２と、スライド部５２５と、第１支持部５２７と、第２支持部５２８と、スライド支持部の一例としての第３支持部５２６と、を含む。第１リンク機構８６１は、リンク部材６５１と、リンク部材６５３と、を備え、第２リンク機構８６２は、リンク部材６５２と、リンク部材６５４と、を備える。ここで、本実施例では、当接ピン５１４および当接ピン５１５は円柱状のピンとしているが、その形状は円柱に限らず角柱や端部ほどその径が細くなる円錐のような形状でも構わない。
【００２７】
まず、保持体５０５について説明する。保持体５０５は、後述する基板５０２、レンズアレイ５０６、当接ピン５１４、および当接ピン５１５を保持するホルダーである。本実施例では一例として、保持体５０５の上面から突き出す当接ピン５１４の長さは７ｍｍ、保持体５０５の上面から突き出す当接ピン５１５の長さは１１ｍｍ、保持体５０５の下面から突き出す当接ピン５１４の長さは２２ｍｍ、保持体５０５の下面から突き出す当接ピン５１５の長さは２２ｍｍとしている。図４に示すように、保持体５０５は、レンズアレイ５０６が取り付けられるレンズ取付部７０１と、基板５０２が取り付けられる基板取付部７０２と、を備える。また、保持体５０５は、後述する図２２において説明するように、バネ取付部６６１、バネ取付部６６２、ピン取付部６３２、およびピン取付部６３３を備える。本実施例の保持体５０５は、レンズ取付部７０１、基板取付部７０２、バネ取付部６６１、バネ取付部６６２、ピン取付部６３２、およびピン取付部６３３を備える。保持体５０５は、レンズ取付部７０１と基板取付部７０２とバネ取付部６６１とバネ取付部６６２とが一体的に射出成形された樹脂製の成形物である。なお、保持体の材質は樹脂製に限らず、例えば金属製でも構わない。
【００２８】
図３に示すように、リンク部材６５１が取り付けられるバネ取付部６６１は、前後方向におけるレンズアレイ５０６とピン取付部６３２との間に設けられている。また、リンク部材６５２が取り付けられるバネ取付部６６２は、前後方向におけるレンズアレイ５０６とピン取付部６３３との間に設けられている。すなわち保持体５０５は、光プリントヘッド１０５が露光位置と退避位置とを移動するにあたり、前後方向におけるレンズアレイ５０６と当接ピン５１４との間でリンク部材６５１によって支持され、前後方向におけるレンズアレイ５０６と当接ピン５１５との間でリンク部材６５２によって支持される。リンク部材６５１とリンク部材６５２によって保持体５０５に対して付勢力が付与される部分が、レンズアレイ５０６と上下方向で重ならないため、当該付勢力によるレンズアレイ５０６の撓みが低減される。
【００２９】
レンズ取付部７０１は、保持体５０５の長手方向に延びる第１内壁面５０７と、第１内壁面５０７に対面し、同じく保持体５０５の長手方向に延びる第２内壁面５０８と、を備える。光プリントヘッド１０５の組み立て時に第１内壁面５０７と第２内壁面５０８との間にレンズアレイ５０６が挿入される。そして、レンズアレイ５０６の側面とレンズ取付部７０１との間に接着剤が塗布されることによって、レンズアレイ５０６は保持体５０５に固定される。
【００３０】
図４に示すように、基板取付部７０２は、断面が略コの字状の形状となっており、保持体５０５の長手方向に延びる第３内壁面９００と、第３内壁面９００に対面し、保持体５０５の長手方向に延びる第４内壁面９０１と、を備える。第３内壁面９００および第４内壁面９０１との間には基板５０２を挿入するための間隙９１０が形成される。また、基板取付部７０２は、基板５０２が当接する基板当接部９１１を備える。光プリントヘッド１０５の組み立て時に基板５０２は間隙９１０から挿入され、基板当接部９１１まで押し込まれる。そして、基板５０２が基板当接部９１１に当接した状態で間隙９１０側の基板５０２と第３内壁面９００と第４内壁面９０１との境界部に接着剤が塗布されることによって、基板５０２は保持体５０５に固定されている。当該露光ユニット５００は感光ドラム１０３の回転軸線よりも鉛直方向下側に設けられており、光プリントヘッド１０５が有するＬＥＤ５０３が感光ドラム１０３を下方から露光する。
【００３１】
次に、保持体５０５に保持される基板５０２について説明する。図５（ａ）は基板５０２の概略斜視図である。図５（ｂ１）は基板５０２に設けられた複数のＬＥＤ５０３の配列を示し、図５（ｂ２）は図５（ｂ１）の拡大図を示している。
【００３２】
基板５０２にはＬＥＤチップ６３９が実装されている。図５（ａ）に示すように、基板５０２の一方の面にはＬＥＤチップ６３９が設けられ、裏面側にコネクタ５０４が設けられている。基板５０２には各ＬＥＤチップ６３９に信号を供給するための配線が設けられている。コネクタ５０４には、不図示のフレクシブルフラットケーブル（ＦＦＣ）の一端が接続される。画像形成装置１本体には基板が設けられている。基板は制御部とコネクタとを備える。ＦＦＣの他端は、当該コネクタに接続されている。基板５０２には、画像形成装置１本体の制御部からＦＦＣおよびコネクタ５０４を介して制御信号が入力される。ＬＥＤチップ６３９は、基板５０２に入力された制御信号によって駆動される。
【００３３】
基板５０２に実装されたＬＥＤチップ６３９についてさらに詳しく説明する。図５（ｂ１）および（ｂ２）に示すように、基板５０２の一方の面には複数のＬＥＤ５０３が配置された複数のＬＥＤチップ６３９−１〜６３９−２９（２９個）が配列されている。各ＬＥＤチップ６３９−１〜６３９−２９はそれぞれ、その長手方向に５１６個のＬＥＤ（発光素子）が一列に配列されている。ＬＥＤチップ６３９の長手方向において隣り合うＬＥＤの中心間距離ｋ２は画像形成装置１の解像度に対応している。本実施例の画像形成装置１の解像度は１２００ｄｐｉであるので、ＬＥＤチップ６３９−１〜６３９−２９ＬＥＤチップ６３９の長手方向において、ＬＥＤは隣接するＬＥＤの中心間距離が２１．１６μｍとなるように一列に配列されている。そのため、本実施例の光プリントヘッド１０５の露光範囲は約３１６ｍｍとなる。感光ドラム１０３の感光層は３１６ｍｍ以上の幅で形成されている。Ａ４サイズの記録紙の長辺の長さおよびＡ３サイズの記録紙の短辺の長さは２９７ｍｍであるため、本実施例の光プリントヘッド１０５は、Ａ４サイズの記録紙およびＡ３サイズの記録紙に画像形成可能な露光範囲を有している。
【００３４】
ＬＥＤチップ６３９−１から６３９−２９は、感光ドラム１０３の回転軸線方向に沿って二列となるよう交互に配置されている。すなわち、図５（ｂ１）に示すように、左側から数えて奇数番目のＬＥＤチップ６３９−１、６３９−３、・・・６３９−２９が基板５０２の長手方向に一列に実装され、偶数番目のＬＥＤチップ６３９−２、６３９−４、・・・６３９−２８が基板５０２の長手方向に一列に実装されている。ＬＥＤチップ６３９をこのように配置することで、図５（ｂ２）に示すように、ＬＥＤチップ６３９の長手方向において、隣り合う異なるＬＥＤチップ６３９における一方のＬＥＤチップ６３９の一端と他方のＬＥＤチップ６３９の他端とに配置されたＬＥＤの中心間距離ｋ１を一つのＬＥＤチップ６３９上における隣り合うＬＥＤの中心間距離ｋ２と等しくすることができる。
【００３５】
なお、本実施例では露光光源にＬＥＤを用いる構成を例示するが、露光光源として有機ＥＬ（Ｏｒｇａｎｉｃ  Ｅｌｅｃｔｒｏ  Ｌｕｍｉｎｅｓｃｅｎｃｅ）を用いても良い。
【００３６】
次に、レンズアレイ５０６について説明する。図５（ｃ１）はレンズアレイ５０６を感光ドラム１０３側から見た時の概略図である。また、図５（ｃ２）はレンズアレイ５０６の概略斜視図である。図５（ｃ１）に示すように、これら複数のレンズは複数のＬＥＤ５０３の配列方向に沿って二列に並べられている。各レンズは、一方の列のレンズの配列方向において隣り合うレンズの両方に接するように他方の列のレンズの一つが配置されるよう交互に配置されている。各レンズは、円柱状の硝子製のロッドレンズである。なお、レンズの材質は硝子製に限らず、プラスチック製でも構わない。レンズの形状についても円柱状に限らず、例えば六角柱等の多角柱でも構わない。
【００３７】
図５（ｃ２）に示す点線Ｚはレンズの光軸を示す。光プリントヘッド１０５は前述の移動機構１４０によって当該点線Ｚで示すレンズの光軸に概ね沿った方向に移動させられる。ここで言うレンズの光軸とは、レンズの光出射面の中心と当該レンズの焦点とを結ぶ線を意味する。図４に示すように、ＬＥＤから出射された放射光はレンズアレイ５０６に含まれるレンズに入射する。レンズは入射した放射光を感光ドラム１０３の表面上に集光させる機能を有する。レンズアレイ５０６は、ＬＥＤの発光面とレンズの光入射面との距離と、レンズの光出射面と感光ドラム１０３の表面との距離と、が略等しくなるように光プリントヘッド１０５の組み立て時のレンズ取付部７０１に対する取付位置が調整される。
【００３８】
ここで、光プリントヘッド１０５を移動させる必要性について説明する。本実施例の画像形成装置１は、図２で説明したようにドラムユニット５１８を交換する際に感光ドラム１０３の回転軸線方向であって装置本体の前側にドラムユニット５１８をスライド移動させる。光プリントヘッド１０５が感光ドラム１０３表面近傍に位置した状態でドラムユニット５１８を移動させるとスライド移動する感光ドラム１０３表面に接触してしまい、装着する感光ドラム１０３の表面に傷がついてしまう。また、ドラムユニット５１８の枠体にレンズアレイ５０６が接触してレンズアレイ５０６に傷がついてしまう。そのため、感光ドラム１０３を露光する露光位置（図６（ａ））と当該露光位置よりも交換ユニットから退避した退避位置（図６（ｂ））との間で、光プリントヘッド１０５が往復移動する構造が必要である。光プリントヘッド１０５が露光位置（図６（ａ））の状態でスライド部５２５が矢印Ａ方向にスライド移動すると光プリントヘッド１０５は退避位置（図６（ｂ））へと向かう方向に移動する。一方、光プリントヘッド１０５が退避位置（図６（ｂ））の状態でスライド部５２５が矢印Ｂ方向にスライド移動すると光プリントヘッド１０５は露光位置（図６（ａ））へと向かう方向に移動する。詳細は後述する。
【００３９】
図７（ａ１）は露光位置に位置する光プリントヘッド１０５の後側、およびドラムユニット５１８の後側に設けられたブッシュ６７１を示す斜視図である。図７（ａ２）は光プリントヘッド１０５が露光位置に位置する際の第２支持部５２８およびドラムユニット５１８の後側に設けられたブッシュ６７１を示す断面図である。図７（ｂ１）は退避位置に位置する光プリントヘッド１０５の後側、およびドラムユニット５１８の後側に設けられたブッシュ６７１を示す斜視図である。図７（ｂ２）は光プリントヘッド１０５が退避位置に位置する際の第２支持部５２８およびドラムユニット５１８の後側に設けられたブッシュ６７１を示す断面図である。
【００４０】
図７を用いて、光プリントヘッド１０５の後側に設けられた当接ピン５１５がドラムユニット５１８側に設けられたブッシュ６７１に当接する様子を説明する。ドラムユニット５１８の前側にも当接ピンが当接するブッシュ６７１に相当する部品が設けられており、その構造はブッシュ６７１の構造と同様であって、機能についても実質的に同一である。ここでは当接ピン５１５がドラムユニット５１８側に設けられたブッシュ６７１に当接する様子のみ説明する。
【００４１】
図７（ａ１）および図７（ｂ１）より、リンク部材６５２が保持体５０５に取り付けられている部分は、上下方向（光プリントヘッド１０５が露光位置と退避位置とを移動する方向：往復移動方向）における当接ピン５１５の両端のうち交換ユニット側（ドラムユニット５１８が配置されている側）とは反対側の端部より感光ドラム１０３側である。リンク部材６５２が取り付けられるバネ取付部６６２が、当接ピン５１５と上下方向で交差しないように配置されている。また、ここでは図示しないが、リンク部材６５１が保持体５０５に取り付けられている部分も、上下方向（光プリントヘッド１０５が露光位置と退避位置とを移動する方向：往復移動方向）における当接ピン５１４の両端のうち交換ユニット側（ドラムユニット５１８が配置されている側）とは反対側の端部より感光ドラム１０３側である。リンク部材６５１が取り付けられるバネ取付部６６１が、当接ピン５１４と上下方向で交差しないように配置されている。これにより、露光ユニット５００が上下方向で大型化することを抑制している。
【００４２】
図７（ａ２）および図７（ｂ２）に示すように、第２支持部５２８は第２座面５８７、規制部１２８、第１壁面５８８、第２壁面５８９を備える。第２座面５８７は、保持体５０５の下側に設けられている。露光位置から退避位置に向かって移動する保持体５０５の下側が、第２座面５８７および後述する第１支持部５２７の第１座面５８６に対して、鉛直方向上側から当接することで、光プリントヘッド１０５が退避位置となる。規制部１２８は第２支持部５２８に形成された前側に開いたコの字状の凹部であって、保持体５０５に対してドラムユニット５１８が位置する側とは反対側に配置されており、当接ピン５１５が上下方向に移動可能なように当接ピン５１５より後側から嵌っている。保持体５０５の下側から突き出た当接ピン５１５は、規制部１２８によって形成された間隙内を移動しながら保持体５０５と共に上下移動する。ここでは図示しないが、第１支持部５２７も規制部１２７を備える。規制部１２７は第１支持部５２７に形成された前側に開いたコの字状の凹部であって、保持体５０５に対してドラムユニット５１８が位置する側とは反対側に配置されており、当接ピン５１４が上下方向に移動可能なように当接ピン５１４より前側から嵌っている。保持体５０５の下側から突き出た当接ピン５１４は、規制部１２７によって形成された間隙内を移動しながら保持体５０５と共に上下移動する。規制部１２７は当接ピン５１４との接触で生じる摩擦力を可能な限り低減するため、テーパ形状を成している。これにより、当接ピン５１４は規制部１２７の間隙において滑らかに上下移動することができる。したがって、当接ピン５１５及び当接ピン５１４と一体の保持体５０５は前後方向（感光ドラム１０３の回転軸線方向）と上下方向（光プリントヘッド１０５が露光位置と退避位置とを移動する方向：往復移動方向）との双方に交差する方向への移動が規制される。また、規制部１２７は当接ピン５１４が後側から前側へ移動することを規制しても構わないし、規制部１２８は当接ピン５１５が前側から後側へ移動することを規制しても構わない。
【００４３】
第１壁面５８８と第２壁面５８９とは左右方向で対面する位置に配置されており、間隙を形成している。光プリントヘッド１０５が露光位置と退避位置とを往復移動するにあたり、保持体５０５は第１壁面５８８と第２壁面５８９とによって形成された間隙内を上下方向に移動する。その間、保持体５０５は第１壁面５８８と第２壁面５８９とによって前後方向（感光ドラム１０３の回転軸線方向）と上下方向（光プリントヘッド１０５が露光位置と退避位置とを移動する方向：往復移動方向）との双方に交差する方向への移動が規制される。
【００４４】
以上の構成により、光プリントヘッド１０５は前後方向（感光ドラム１０３の回転軸線方向）と上下方向（光プリントヘッド１０５が露光位置と退避位置とを移動する方向：往復移動方向）との双方に交差する方向への移動が規制された状態で露光位置と退避位置とを移動する。なお、規制部１２７と規制部１２８は、少なくとも一方が第１支持部５２７または第２支持部５２８に設けられていれば構わない。すなわち、規制部１２７が支持部の一例としての第１支持部５２７に設けられているか、規制部１２８が第２支持部５２８に設けられているかすれば十分である。
【００４５】
図７（ａ１）および図７（ａ２）に示すように、当接ピン５１５がドラムユニット５１８の後側に設けられたブッシュ６７１に当接し、かつ、当接ピン５１４（不図示）がドラムユニット５１８の前側に設けられたブッシュ６７１に相当する部品に当接した位置が、光プリントヘッド１０５の露光位置である。当接ピン５１４、および当接ピン５１５がドラムユニット５１８側のブッシュ６７１およびブッシュ６７１に相当する部品にそれぞれ当接することによって、レンズアレイ５０６と感光ドラム１０３表面との距離が設計称呼となる。
【００４６】
一方、図７（ｂ１）および図７（ｂ２）に示すように、当接ピン５１５がドラムユニット５１８の後側に設けられたブッシュ６７１から退避した位置が、光プリントヘッド１０５の退避位置に相当する。光プリントヘッド１０５が図７（ｂ１）および図７（ｂ２）に示す退避位置に位置することによって交換のためにスライド移動するドラムユニット５１８と光プリントヘッド１０５が接触しない状態となる。
【００４７】
ここで、ドラムユニット５１８が備えるブッシュ６７１について説明する。図８にブッシュ６７１の斜視図を示す。ブッシュ６７１は、ドラムユニット５１８の筐体にビスあるいは接着剤によって固定された部材である。図８に示すように、ブッシュ６７１には開口９１６が形成されている。開口９１６には感光ドラム１０３の他端側の軸部材が回転可能に挿入されている。すなわち、ブッシュ６７１は感光ドラム１０３を回転可能に軸支する。
【００４８】
感光ドラム１０３は中空の円柱形状のアルミ管の外壁面に感光層が形成されている。アルミ管の両端にはフランジ６７３が圧入されている。ブッシュ６７１に形成された開口９１６には感光ドラム１０３の他端側のフランジ６７３が回転可能に挿入されている。フランジ６７３は、ブッシュ６７１に形成された開口９１６の内壁面に摺擦しながら回転する。すなわち、ブッシュ６７１は感光ドラム１０３を回転可能に軸支する。また、当接ピン５１４が当接する、ドラムユニット５１８の前側に設けられたブッシュ６７１に相当する部品の中央部にもブッシュ６７１と同様に開口が形成されている。ブッシュ６７１に相当する部品に形成された開口には感光ドラム１０３の一端側（前側）のフランジ６７３が回転可能に挿入されている。フランジ６７３は、当該開口の内壁面に摺擦しながら回転する。すなわち、ドラムユニット５１８の前側と同様、後側においてもブッシュ６７１は感光ドラム１０３を回転可能に軸支する。
【００４９】
ブッシュ６７１は、当接ピン５１５が嵌る嵌合部６８５を備える。嵌合部６８５は、当接面５５１と、後側壁面５９６と、テーパ部５８５と、を備える。嵌合部６８５はブッシュ６７１に対して窪んでいても構わないし、立設されていても構わない。当接面５５１には、退避位置から露光位置へと向かう方向へ移動する当接ピン５１５が当接する。嵌合部６８５の下端の淵はテーパ形状であるテーパ部５８５が形成されている。テーパ部５８５は、退避位置から露光位置へと向かう方向へ移動する当接ピン５１５が、当接面５５１に当接するようにその移動を案内する。後側壁面５９６と当接ピン５１５との接触については後で説明する。
【００５０】
嵌合部６８５の当接面５５１に当接した当接ピン５１５は、嵌合部６８５によって前後方向（感光ドラム１０３の回転軸線方向）と上下方向（光プリントヘッド１０５が露光位置と退避位置とを移動する方向：往復移動方向）との双方に交差する方向への移動が規制される。すなわち、露光位置に位置する光プリントヘッド１０５（図７（ａ２）参照）において、当接ピン５１５の上端は嵌合部６８５によって前後方向と上下方向との双方に交差する方向への移動が規制され、当接ピン５１５の下端は規制部１２８によって前後方向と上下方向との双方に交差する方向への移動が規制される。ここで、嵌合部６８５の左右方向の径と当接ピン５１５の上端の左右方向の径との差と規制部１２８の左右方向の径と当接ピン５１５の下端の左右方向の径との差は、第１壁面５８８と第２壁面５８９との左右方向の間隔と第１壁面５８８と第２壁面５８９との間に位置する保持体５０５との差よりも小である。したがって、光プリントヘッド１０５が露光位置である時、第１壁面５８８と第２壁面５８９は保持体５０５の前後方向と上下方向との双方に交差する方向への移動の規制には関与しない。
【００５１】
（移動機構）
以下、光プリントヘッド１０５を移動させるための移動機構１４０について説明する。
【００５２】
まず、第１支持部５２７ついて説明する。図９（ａ）は第１支持部５２７の概略斜視図である。第１支持部５２７には、突き当て部（停止機構）の一例としての第１座面５８６、差し込み部の一例としての開口部７００、当接部５２９、規制部１２７、突起６０１、ビス孔６０２、位置決めボス６０３、位置決めボス６０４、ビス孔６０５が形成されている。ここで、第１支持部５２７は、開口部７００と第１座面５８６とが一体的に射出成形された成形物であっても構わないし、互いに別部材であっても構わない。
【００５３】
第１座面５８６は、露光位置から退避位置に向けて移動する保持体５０５の下側が、鉛直方向上側から当接する部分であって、画像形成装置１本体に固定されている。保持体５０５の下側が第１座面５８６に当接し、光プリントヘッド１０５が退避位置となる。
【００５４】
開口部７００にはトナー等によって汚れたレンズアレイ５０６の光出射面を清掃するための清掃部材５７２が、画像形成装置１本体の外側から差し込まれる。清掃部材５７２は長尺の棒状の部材である。本実施例では、開口部７００の一例として前後方向に貫通する貫通孔を示すが、孔に限らず、例えば上部にスリットが形成されていても構わない。当接部５２９は、図９（ａ）に斜線で示すように第１支持部５２７の後側の面であって開口部７００の上側と下側の領域である。当接部５２９の機能については後で詳細を説明する。
【００５５】
図９（ａ）に示すように、規制部１２７は第１支持部５２７に形成された後側に開いたコの字状の凹部である。保持体５０５の下側から突き出た当接ピン５１４の一部は、規制部１２７によって形成された間隙の間を保持体５０５と共に上下移動する。規制部１２７は当接ピン５１４との接触で生じる摩擦力を可能な限り低減するため、テーパ形状を成しており、当接ピン５１４に近付くに従い上下方向の厚さが薄くなっている。これにより、当接ピン５１４は規制部１２７の間隙において滑らかに上下移動することができる。
【００５６】
第１支持部５２７は前側板６４２の前側の面に固定されている。前側板６４２には位置決めボス６０３、位置決めボス６０４、固定用のビスそれぞれに対応する複数の孔が形成されている（不図示）。位置決めボス６０３および位置決めボス６０４は、設けられた複数の孔に挿入されており、その状態で第１支持部５２７のビス孔から通されたビスによって第１支持部５２７は前側板６４２に固定されている。
【００５７】
後述する第３支持部５２６はコの字型に折り曲げられた板金である。図９（ｂ）は、第３支持部５２６の長手方向における一端部が図９（ａ）に示す点線で囲まれた部分に挿入される様子を説明するための図を示し、図９（ｃ）は第３支持部５２６の長手方向における一端部が図９（ａ）に示す点線で囲まれた部分に挿入された図を示す。図９（ｂ）および（ｃ）に示すように、第３支持部５２６の一端部には切欠きが設けられており、第１支持部５２７側の突起６０１が第３支持部５２６の切欠きに係合する。突起６０１が第３支持部５２６の切欠きに係合することによって第１支持部５２７に対して第３支持部５２６の左右方向の位置が決まる。第３支持部５２６は、ビス孔６０２から挿入されたビスによって図９（ｃ）の下側から加圧されて第１支持部５２７の接触面６８１に当接することによって第１支持部５２７に固定されている。
【００５８】
次に、第２支持部５２８について説明する。図１０（ａ）は第２支持部５２８の概略斜視図である。第２支持部５２８には、第２座面５８７と、第１壁面５８８と、第２壁面５８９と、規制部１２８が形成されている。
【００５９】
第２座面５８７は前で説明した通り、露光位置から退避位置に向けて移動する保持体５０５の下側が当接する部分である。第２座面５８７は、画像形成装置１本体に固定されている。保持体５０５の下側が第２座面５８７に当接し、光プリントヘッド１０５が退避位置となる。
【００６０】
図１０（ｂ）に示すように、第２支持部５２８は後側板６４３の前側の面に固定されている。第２支持部５２８は、第１支持部５２７が前側板６４２に固定される方法と同様に、位置決めボスおよびビスによって後側板６４３に固定されている。図１０（ｃ）は、第３支持部５２６の長手方向における第３支持部５２６の他端側（後側）が図１０（ａ）に示す点線で囲まれた部分に挿入された状態を示す。すなわち、第３支持部５２６は一端部が第１支持部５２７に支持され、他端部が第２支持部５２８に支持され、第１支持部５２７および第２支持部５２８がそれぞれ前側板６４２および後側板６４３に固定されている。そのため、第３支持部５２６は画像形成装置１本体に対して固定されていることになる。
【００６１】
なお、第２支持部５２８は第３支持部５２６に対してビス等によって固定され、後側板６４３とはビス留めされていない構成であっても構わない。その場合、例えば、第２支持部５２８には凹部が形成されており、後側板６４３に形成された凸部に嵌ることで、後側板６４３に対する第２支持部５２８の位置が決まる構造とする。第２支持部５２８の第１壁面５８８、第２壁面５８９については後述する。
【００６２】
図１０（ａ）に示すように、規制部１２８は第２支持部５２８に形成された前側に開いたコの字状の凹部である。保持体５０５の下側から突き出た当接ピン５１５の一部は、規制部１２８によって形成された間隙の間を保持体５０５と共に上下移動する。規制部１２８は当接ピン５１５との接触で生じる摩擦力を可能な限り低減するため、テーパ形状を成しており、当接ピン５１５に近付くに従い上下方向の厚さが薄くなっている。これにより、当接ピン５１５は規制部１２８の間隙において滑らかに上下移動することができる。
【００６３】
次に、図１１を用いて第３支持部５２６およびスライド部５２５について説明する。第３支持部５２６およびスライド部５２５は、保持体５０５に対して感光ドラム１０３とは反対側に配置されている。
【００６４】
図１１（ａ）は、第１支持部５２７を不図示とした移動機構６４０の前側を左側から見た概略斜視図である。また、図１１（ｂ）は、第１支持部５２７を不図示とした移動機構６４０の前側を右側から見た概略斜視図である。移動機構６４０はリンク部材６５１と、スライド部５２５と、第３支持部５２６を備える。第３支持部５２６は、支持軸５３１と、Ｅ型止め輪５３３と、を備える。図１１に示すように、支持軸５３１は、コの字型に加工された第３支持部５２６の対向する面（左側面と右側面）に設けられた開口に挿入されている。支持軸５３１は第３支持部５２６の右側面および左側面を貫通している。支持軸５３１は、第３支持部５２６の開口から抜け落ちないように左側面の外側でＥ型止め輪５３３にて留められている。一方、図１１（ａ）に示すようにスライド部５２５には前後方向に延びる長尺の開口である長孔６９１が形成されている。支持軸５３１はスライド部５２５の長孔６９１に挿入されており、長孔６９１に対し例えば上下方向において０．１〜０．５ｍｍ程度の隙間を以て緩嵌している。そのため、スライド部５２５は、第３支持部５２６に対して上下方向の移動が規制され、長孔６９１の前後方向の長さの分だけ第３支持部５２６に対してスライド移動可能となる。
【００６５】
また、スライド部５２５の一端側には左側から下側に亘って収納スペース５６２を有するスライド補助部材５３９が取り付けられている。スライド補助部材５３９はスライド部５２５に対して左側からビス留めされることで固定されている。収納スペース５６２には後述するカバー５５８が備える加圧部５６１が収納される。収納スペース５６２と加圧部５６１との関係および構造的特徴については、後のカバー５５８についての説明と合わせて記載する。
【００６６】
以下、図３、図１１および図１２を用いて移動機構６４０について説明する。
【００６７】
図３は移動機構６４０を備える露光ユニット５００の概略斜視図である。図３に示すように移動機構６４０は第１リンク機構８６１と、第２リンク機構８６２と、スライド部５２５と、第１支持部５２７と、第２支持部５２８と、第３支持部５２６を備える。第１リンク機構８６１はリンク部材６５１とリンク部材６５３を備え、第２リンク機構８６２はリンク部材６５２とリンク部材６５４を備える。図３に示すように、リンク部材６５１とリンク部材６５３、リンク部材６５２とリンク部材６５４はそれぞれλ型のリンク機構を構成する。
【００６８】
図１１（ａ）は、第１支持部５２７を不図示とした移動機構６４０の前側を左側から見た概略斜視図である。また、図１１（ｂ）は、第１支持部５２７を不図示とした移動機構６４０の前側を右側から見た概略斜視図である。
【００６９】
以下、図１１（ａ）、図１１（ｂ）、図１２（ａ）および図１２（ｂ）を用いて、第１リンク機構８６１について説明する。図１２（ａ）は、第１リンク機構８６１を感光ドラム１０３の回転軸線に沿った面で切断した断面図を右側から見た図である。第１リンク機構８６１は、リンク部材６５１と、リンク部材６５３を備える。第１リンク機構８６１を構成するリンク部材６５１およびリンク部材６５３はそれぞれ単一のリンク部材であるが、複数のリンク部材を組み合わせて構成しても良い。
【００７０】
図１２（ａ）および（ｂ）に示すように、リンク部材６５３の長手方向の長さはリンク部材６５１の長手方向の長さよりも短い。
【００７１】
リンク部材６５１は、軸受部６１０、突起６５５、および接続軸部５３８、を備える。軸受部６１０はリンク部材６５１の長手方向の一端側に設けられている。突起６５５は、リンク部材６５１の長手方向の他端側に設けられた、リンク部材６５１の回動軸線方向に立設した円柱状の突起であって、光プリントヘッド１０５の保持体５０５側に設けられたバネを変形させるための突起である。接続軸部５３８はリンク部材６５１の長手方向において軸受部６１０と突起６５５との間に設けられている。なお、第１移動部は突起６５５に限らず、リンク部材６５１の長手方向の一端側が回動軸線方向に屈曲した構造でも構わない。
【００７２】
軸受部６１０には図１２（ａ）の左右方向に延びる円形の中空孔が形成されている。スライド部５２５には嵌合軸部５３４が設けられている。嵌合軸部５３４はスライド部５２５から図１２（ａ）の左方向に立設した円柱状の突起である。嵌合軸部５３４は軸受部６１０の孔に対して回動可能に嵌合されることで第１接続部を形成する。すなわち、リンク部材６５１は第１接続部を回動中心としてスライド部５２５に対して回動可能となっている。ここで、嵌合軸部５３４がリンク部材６５１側に形成され、軸受部６１０がスライド部５２５に形成されていても構わない。
【００７３】
リンク部材６５３は、接続軸部５３０を備える。接続軸部５３０はリンク部材６５３の長手方向の一端側に設けられている。接続軸部５３０はリンク部材６５３から図１２（ａ）の左側に立設した円柱状の突起である。接続軸部５３０は第３支持部５２６に形成された孔に回転可能に挿入され、第３接続部を形成する。ここで、接続軸部５３０はリンク部材６５３ではなく、第３支持部５２６に形成されていても構わない。すなわち、リンク部材６５３に形成された孔に第３支持部に形成された接続軸部５３０が挿入されていてもよい。
【００７４】
リンク部材６５３の長手方向の他端側には図１２（ａ）の左右方向に延びる円形の孔が形成されている。当該孔にはリンク部材６５１の接続軸部５３８が回動可能に挿入されており、接続軸部５３８とリンク部材６５３の孔は第４接続部を形成する。すなわち、リンク部材６５３は、第３接続部を回動中心に第３支持部５２６に対して回動可能であり、第４接続部を回動中心にリンク部材６５１に対して回動可能となっている。ここで、接続軸部５３８はリンク部材６５１ではなく、リンク部材６５３に形成されていても構わない。すなわち、リンク部材６５１に形成された孔にリンク部材６５３に形成された接続軸部５３８が挿入されてもよい。
【００７５】
なお、第２リンク機構８６２の構成についても、上で説明した第１リンク機構８６１の構成と同様である。第２リンク機構８６２が備えるリンク部材６５２およびリンク部材６５４は、それぞれリンク部材６５１およびリンク部材６５３に対応する。また、第１接続部に対応して、リンク部材６５２の長手方向の一端側とスライド部５２５との接続部分は第２接続部を構成する。なお、移動機構６４０の実施の形態はリンク部材６５３とリンク部材６５４のいずれか一方を省略しても良い。
【００７６】
以上の構成により、スライド部５２５が第３支持部５２６に対して前側から後側へスライド移動すると、スライド部５２５と共に嵌合軸部５３４に嵌合した軸受部６１０が第３支持部５２６に対して前側から後側へスライド移動する。これにより、図１２（ａ）に示すように第１リンク機構８６１を右側から見た時、リンク部材６５１は嵌合軸部５３４を回動中心として時計回りに回動し、かつ、リンク部材６５３は接続軸部５３０を回動中心として反時計回りに回動する。よって、突起６５５が露光位置から退避位置へと向かう方向へ移動する。
【００７７】
一方、スライド部５２５が第３支持部５２６に対して後側から前側へスライド移動すると、リンク部材６５１およびリンク部材６５３は図１２（ａ）に記載の矢印とは逆方向に移動する。スライド部５２５が、第３支持部５２６に対して後側から前側へスライド移動するとスライド部５２５と共に嵌合軸部５３４に嵌合した軸受部６１０が第３支持部５２６に対して後側から前側へスライド移動する。これにより、図１２（ａ）に示すように第１リンク機構８６１を右側から見た時、リンク部材６５１は嵌合軸部５３４を回動中心として反時計回りに回動し、かつ、リンク部材６５３は接続軸部５３０を回動中心として時計回りに回動する。よって、突起６５５は退避位置から露光位置へと向かう方向へ移動する。
【００７８】
なお、（１）接続軸部５３８の回動中心軸と軸受部６１０の回動中心軸との距離をＬ１、（２）接続軸部５３８の回動中心軸と接続軸部５３０の回動中心軸との距離をＬ２、（３）接続軸部５３８の回動中心軸と突起６５５の回動中心軸との距離をＬ３とする。移動機構６４０において第１リンク機構８６１は、Ｌ１、Ｌ２、Ｌ３は互いに等しいスコットラッセル機構を形成する（図１２（ｂ）参照）。距離Ｌ１、Ｌ２、Ｌ３は等しくすることによって、嵌合軸部５３４のスライド移動方向に対して突起６５５が垂直に移動（図１２（ｂ）の点線Ａ上）するため、上記のリンク機構において光プリントヘッド１０５をレンズの略光軸方向に移動させることができる。
【００７９】
ここで、第１リンク機構８６１と、第２リンク機構８６２と、のそれぞれを前後方向で逆の構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。この場合、後述するカバー５５８は、開状態から閉状態への移動時にスライド部５２５を前側から後側へ押し込み、閉状態から開状態への移動時にスライド部５２５を後側から前側へ引き込む。
【００８０】
光プリントヘッド１０５を移動させる機構は移動機構６４０に限らず、図１３に示す移動機構１４０でも構わない。以下、図１３および図１４を用いて移動機構１４０について説明する。なお、移動機構６４０を構成する部材と実質的に同じ機能を有する部材には同じ符合を付して説明し、重複する説明は省略する場合がある。
【００８１】
以下、図１３（ａ）、図１３（ｂ）、および図１４（ａ）、図１４（ｂ）を用いて、移動機構１４０が保持体５０５を移動させる仕組みについて説明する。図１４（ａ）は、保持体５０５と図１４（ｂ）に示す移動機構１４０とを感光ドラム１０３の回転軸線に沿った面で切断した断面図である。
【００８２】
図１３（ａ）および（ｂ）に示すように、リンク部材１５１は、軸受部１１０と、突起１５５を備える。軸受部１１０はリンク部材１５１の長手方向の一端側に設けられている。図１４（ａ）および（ｂ）に示すように突起１５５は、リンク部材１５１の長手方向の他端側に設けられた、リンク部材１５１の回動軸線方向に立設した円柱状の突起であって、光プリントヘッド１０５の保持体５０５側に設けられたバネを変形させるための突起である。ここで、第１移動部は突起１５５に限らず、リンク部材１５１の長手方向の一端側がリンク部材１５１の回動軸線方向に屈曲した構造でも構わない。
【００８３】
軸受部１１０には左右方向に延びる円形の中空孔が形成されている。図１４（ａ）および（ｂ）に示すように、スライド部５２５には嵌合軸部５３４が設けられている。嵌合軸部５３４はスライド部５２５から左方向に立設した円柱状の突起である。軸受部１１０の孔が嵌合軸部５３４に対して回動可能に嵌合されることで第１接続部を形成する。すなわち、リンク部材１５１は第１接続部を回動中心としてスライド部５２５に対して回動可能となっている。ここで、嵌合軸部５３４がリンク部材１５１側に形成され、軸受部１１０がスライド部５２５に形成されていても構わない。
【００８４】
なお、第３支持部５２６の後側には支持軸５３１と同様の軸が設けられ、スライド部５２５の後側には長孔６９１と同様の長孔が形成されており、移動機構１４０の後側は前側と同様の構造である。また、リンク部材１５２の構造についても、上で説明した第１移動部材の構造と同様であって、リンク部材１５２はリンク部材１５１に対応する。また、第１接続部に対応して、リンク部材１５２の長手方向の一端側とスライド部５２５との接続部分は第２接続部を構成する。
【００８５】
保持体５０５の一端より前側には第１支持部５２７（不図示）の当接部５２９が配置されている。これにより、スライド部５２５が第３支持部５２６に対して後側から前側へスライド移動すると、スライド部５２５と共に嵌合軸部５３４に嵌合した軸受部１１０が第３支持部５２６に対して後側から前側へスライド移動する。それに伴い、突起１５５が取り付けられた保持体５０５も前側に移動しようとするが、保持体５０５の一端は当接部５２９に当接しており前側への移動が制限される。リンク部材１５１は、突起１５５を備える一端側が軸受部１１０を備える他端側よりドラムユニット５１８側に位置するように感光ドラム１０３の回転軸線方向に交差して配置されているため、図１４（ａ）に示すように右側から見ると嵌合軸部５３４を回動中心として反時計回りに回動する。よって、保持体５０５は、保持体５０５の一端が当接部５２９に当接しながら退避位置から露光位置に向かって移動する。
【００８６】
一方、スライド部５２５が、第３支持部５２６に対して前側から後側へスライド移動するとスライド部５２５と共に嵌合軸部５３４に嵌合した軸受部１１０が第３支持部５２６に対して後側から前側へスライド移動する。これにより、リンク部材１５１は、図１４（ａ）に示すように右側から見ると嵌合軸部５３４を回動中心として時計回りに回動する。よって、突起１５５は露光位置から退避位置へと向かう方向へ移動する。詳しくは後述するが、スライド部５２５はカバー５５８の閉動作に連動して後側から前側に移動し、カバー５５８の開動作に連動して前側から後側に移動する。すなわち、カバー５５８が開状態から閉状態に移動すると保持体５０５が退避位置から露光位置へ向かう方向に移動し、カバー５５８が閉状態から開状態に移動すると保持体５０５が露光位置から退避位置へ向かう方向に移動する。
【００８７】
光プリントヘッド１０５がレンズの略光軸方向に移動する時、保持体５０５の後側は、前記した第２支持部５２８が備える第１壁面５８８と第２壁面５８９とが形成する間隙を移動する。これにより、保持体５０５が左右方向に傾倒することを防止する。
【００８８】
なお、リンク部材１５１およびリンク部材１５２は、他端側が一端側より前側に配置され、当接部５２９が保持体５０５の他端より後側に配置されていても構わない。すなわち、スライド部５２５が第３支持部５２６に対して前側から後側へスライド移動すると、スライド部５２５と共に嵌合軸部５３４に嵌合した軸受部１１０が第３支持部５２６に対して前側から後側へスライド移動する。それに伴い、突起１５５が取り付けられた保持体５０５も後側に移動しようとするが、保持体５０５の他端は当接部５２９に当接しており後側への移動が制限される。よって、リンク部材１５１を右側から見た時、リンク部材１５１およびリンク部材１５２はスライド部５２５に対して時計回りに回動し、保持体５０５は他端が当接部５２９に当接しながら退避位置から露光位置に向かって移動する。この場合、カバー５５８は、開状態から閉状態への移動時にスライド部５２５を前側から後側へ押し込み、閉状態から開状態への移動時にスライド部５２５を後側から前側へ引き込む。
【００８９】
光プリントヘッド１０５を移動させる機構は移動機構１４０や移動機構６４０に限らず、図１５に示す移動機構８４０でも構わない。以下、図１５を用いて移動機構８４０について説明する。なお、移動機構１４０（８４０）を構成する部材と実質的に同じ機能を有する部材には同じ符合を付して説明し、重複する説明は省略する場合がある。
【００９０】
図１５（ａ１）および図１５（ａ２）は移動機構８４０である。図１５（ａ１）および図１５（ａ２）に示すように移動機構８４０は第１リンク機構８５８と、第２リンク機構８５９と、スライド部８２５と、第３支持部５２６を備える。第１リンク機構８５８はリンク部材８４３とリンク部材８４４を備え、第２リンク機構８５９はリンク部材８４５とリンク部材８４６を備える。図１５に示すように、リンク部材８４３とリンク部材８４４、リンク部材８４５とリンク部材８４６はそれぞれ互いに回動可能に交差してＸ型のリンク機構を構成する。リンク部材８４３の突起８４７、リンク部材８４４の突起８４８、リンク部材８４５の突起８４９、リンク部材８４６の突起８５０がそれぞれ不図示の保持体８０５に回動可能に取り付けられている。図１５（ａ１）においてスライド部８２５を矢印Ａ方向にスライド移動させるとリンク部材８４３〜８４６がスライド部８２５に対して回動し、突起８４７〜８５０が下側へ移動する（図１５（ａ２））。一方、図１５（ａ２）においてスライド部８２５を矢印Ｂ方向にスライド移動させるとリンク部材８４３〜８４６がスライド部８２５に対して回動し、突起８４７〜８５０が上側へ移動する（図１５（ａ１））。
【００９１】
図１５（ｂ）は、移動機構８４０の前側を保持体８０５の前側と合わせて示した図である。
【００９２】
以下、図１５（ｂ）を用いて、移動機構８４０が保持体８０５を移動させる仕組みについて説明する。ここで、第１リンク機構８５８と第２リンク機構８５９の動作は実質的に同一のため、ここでは第１リンク機構８５８について図１５（ｂ）を用いて説明する。第１リンク機構８５８は、リンク部材８４３と、リンク部材８４４を備える。第１リンク機構８５８を構成するリンク部材８４３およびリンク部材８４４はそれぞれ単一のリンク部材であるが、複数のリンク部材を組み合わせて構成しても良い。
【００９３】
図１５（ｂ）における移動機構８４０は、第１リンク機構８５８、スライド部８２５を備える。図１５（ｂ）に示すように、スライド部８２５は左右方向に貫通し前後方向に延びた長尺の開口である長孔８６３を備える。
【００９４】
リンク部材８４３は、突起８１０、突起８４７および接続軸部５３８、を備える。突起８１０はリンク部材８４３の長手方向の一端側に設けられている。突起８４７は、リンク部材８４３の長手方向の他端側に設けられた、リンク部材８４３の回動軸線方向であって右側に立設した円柱状の突起である。接続軸部５３８はリンク部材８４３の長手方向において突起８１０と突起８４７との間に設けられている。なお、第１移動部は突起８４７に限らず、リンク部材８４３の長手方向の一端側が回動軸線方向に屈曲した構造でも構わない。
【００９５】
突起８１０はスライド部８２５の長孔８６３に対して回動可能に緩嵌されることで第１接続部を形成する。すなわち、リンク部材８４３は第１接続部を回動中心としてスライド部８２５に対して回動可能となっている。また、突起８１０は長孔８６３において長孔８６３の前後方向の範囲内（開口内）で前後方向に移動可能である。長孔８６３の後側の縁と突起８１０との間にはコイルばね８６０が配置されている。
【００９６】
リンク部材８４４は、接続軸部５３０と突起８４８を備える。接続軸部５３０はリンク部材８４４の長手方向の一端側に設けられている。接続軸部５３０はリンク部材８４４から図１５（ｂ）の右側に立設した円柱状の突起である。接続軸部５３０は第３支持部５２６に形成された孔に回転可能に挿入され、第３接続部を形成する。ここで、接続軸部５３０はリンク部材８４４ではなく、第３支持部５２６に形成されていても構わない。すなわち、リンク部材８４４に形成された孔に第３支持部に形成された接続軸部５３０が挿入されていてもよい。
【００９７】
突起８４８は、リンク部材８４４の長手方向の他端側に設けられた、リンク部材８４４の回動軸線方向であって右側に立設した円柱状の突起である。
【００９８】
また、リンク部材８４４の突起８４８と第３接続部との間には図１５（ｂ）の左右方向に延びる円形の孔が形成されている。当該孔にはリンク部材８４３の接続軸部５３８が回動可能に挿入されており、接続軸部５３８とリンク部材８４４の孔は第４接続部を形成する。すなわち、リンク部材８４４は、第３接続部を回動中心に第３支持部５２６に対して回動可能であり、第４接続部を回動中心にリンク部材８４３に対して回動可能となっている。ここで、接続軸部５３８はリンク部材８４３ではなく、リンク部材８４４に形成されていても構わない。すなわち、リンク部材８４３に形成された孔にリンク部材８４４に形成された接続軸部５３８が挿入されてもよい。
【００９９】
なお、移動機構８４０の実施の形態はリンク部材８４３とリンク部材８４４のいずれか一方を省略しても良い。
【０１００】
保持体８０５は、レンズアレイ５０６、リンク取付部８５１、リンク取付部８５２、ピン取付部８５５を備える。リンク取付部８５１及びリンク取付部８５２は共に、レンズアレイ５０６と保持体８０５に取り付けられるピン５１４の間に設けられる。なお、ここでは図示しないが、第２リンク機構８５９を構成するリンク部材８４５及びリンク部材８４６が取り付けられるリンク取付部８５３及びリンク取付部８５４も共に、レンズアレイ５０６と保持体８０５の他端側に取り付けられるピン５１５の間に設けられる。リンク取付部８５１は、レンズアレイ５０６とピン取付部８５５との間において保持体８０５に形成された、左右方向に貫通した孔である。また、リンク取付部８５２はレンズアレイ５０６とリンク取付部８５１との間において保持体８０５に形成された、左右方向に貫通し前後方向に延びる長孔である。
【０１０１】
リンク取付部８５１にはリンク部材８４３の突起８４７が回動可能に取り付けられており、リンク取付部８５２にはリンク部材８４４の突起８４８が回動可能に取り付けられている。また、突起８４８はリンク取付部８５１に対して前後方向に移動可能に取り付けられている。したがって、リンク部材８４４は突起８４８を回動中心として回動しながらリンク取付部８５２の前後方向の範囲内で前後方向にスライド移動可能である。
【０１０２】
以上の構成により、スライド部８２５が第３支持部５２６に対して前側から後側へスライド移動すると、スライド部８２５と共に突起８１０が第３支持部５２６に対して前側から後側へスライド移動する。これにより、図１５（ａ１）に示すように第１リンク機構８５８を右側から見た時、リンク部材８４３は突起８１０を回動中心として時計回りに回動し、かつ、リンク部材８４４は接続軸部５３０を回動中心として反時計回りに回動しながら突起８４８はリンク取付部８５２において前側から後側へ移動する。よって、突起８４７及び突起８４８が露光位置から退避位置へと向かう方向へ移動する。
【０１０３】
一方、スライド部８２５が第３支持部５２６に対して後側から前側へスライド移動すると、スライド部８２５と共に突起８１０が第３支持部５２６に対して後側から前側へスライド移動する。これにより、図１５（ａ２）に示すように第１リンク機構８５８を右側から見た時、リンク部材８４３は突起８１０を回動中心として反時計回りに回動し、かつ、リンク部材８４４は接続軸部５３０を回動中心として時計回りに回動しながら突起８４８はリンク取付部において後側から前側へ移動する。よって、突起８４７及び突起８４８が退避位置から露光位置へと向かう方向へ移動する。図１５（ｂ）に示すように、当接ピン５１４が当接面５５０に当接した状態で、更にスライド部８２５が前側へスライド移動すると、コイルばね８６０が長孔８６３の後側の縁と突起８１０とに挟まれて収縮する。収縮したコイルばね８６０の復元力によって、突起８１０は前側へ付勢される。これにより、保持体８０５に上側へ向かう方向の付勢力が付与される。
【０１０４】
ここで、第１リンク機構８５８と、第２リンク機構８５９と、のそれぞれを前後方向で逆の構造とし、スライド部８２５を前側から後側へスライド移動させると光プリントヘッド１０５が退避位置から露光位置に向けて移動し、スライド部８２５を後側から前側へスライド移動させると光プリントヘッド１０５が露光位置から退避位置に向けて移動する構成としても構わない。この場合、後述するカバー５５８は、開状態から閉状態への移動時にスライド部８２５を前側から後側へ押し込み、閉状態から開状態への移動時にスライド部８２５を後側から前側へ引き込む。
【０１０５】
また、光プリントヘッド１０５を移動させる機構は移動機構１４０、移動機構６４０、移動機構８４０に限らず、図１６に示す移動機構９４０でも構わない。以下、図１６を用いて移動機構９４０について説明する。なお、移動機構１４０（６４０や８４０を含む）を構成する部材と実質的に同じ機能を有する部材には同じ符合を付して説明し、重複する説明は省略する場合がある。
【０１０６】
図１６に示すように、スライド部５２５の前側及び後側には第１カム部１１２および第２カム部１１３が設けられており、また、保持体９０５の下側であって前側及び後側には移動支持部１１４及び移動支持部１１５が設けられている。第１カム部１１２および第２カム部１１３は、保持体９０５側に後側から前側に向けて下側に傾斜した面を備える。
【０１０７】
図１６（ａ）は、露光位置に位置する光プリントヘッド１０５及び移動機構９４０を右側から見た概略図である。光プリントヘッド１０５が露光位置である際に、スライド部５２５が第３支持部５２６に対して前側から後側へスライド移動すると、スライド部５２５と共にスライド部５２５に設けられた第１カム部１１２および第２カム部１１３が第３支持部５２６に対して前側から後側へスライド移動する。これにより、保持体９０５に設けられた移動支持部１１４及び移動支持部１１５の下端が第１カム部１１２および第２カム部１１３に当接し、移動支持部１１４及び移動支持部１１５が第１カム部１１２および第２カム部１１３に沿って露光位置から退避位置へと向かう方向へ移動する。
【０１０８】
図１６（ｂ）は、退避位置に位置する光プリントヘッド１０５及び移動機構９４０を右側から見た概略図である。光プリントヘッド１０５が退避位置である際に、スライド部５２５が第３支持部５２６に対して後側から前側へスライド移動すると、スライド部５２５と共にスライド部５２５に設けられた第１カム部１１２および第２カム部１１３が第３支持部５２６に対して後側から前側へスライド移動する。これにより、保持体９０５に設けられた移動支持部１１４及び移動支持部１１５の下端が第１カム部１１２および第２カム部１１３に沿って、退避位置から露光位置へと向かう方向へ押し上げられ移動する。
【０１０９】
ここで、第１カム部１１２および第２カム部１１３と、のそれぞれが備える傾斜面の傾斜方向を前側から後側へ向けて下側に傾斜した構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。この場合、後述するカバー５５８は、開状態から閉状態への移動時にスライド部５２５を前側から後側へ押し込み、閉状態から開状態への移動時にスライド部５２５を後側から前側へ引き込む。
【０１１０】
次に、図１７を用いてカバー５５８について説明する。カバー５５８はスライド部５２５を上記のようにスライド移動させるための部材である。なお、スライド部５２５をスライド移動させる構成はカバー５５８に限定されるものではない。例えば、不図示の前扉の開閉に連動してスライド部５２５がスライド移動するように構成しても良い。また、カバー５５８や扉のような被覆部材ではなく、レバーのような回動部材の回動に連動してスライド部５２５がスライド移動するように構成しても良い。
【０１１１】
図１７（ｂ）はカバー５５８の斜視図である。図１７（ａ）に示すように、カバー５５８は、回動軸部５５９と、回動軸部５６０と、を備える。回動軸部５５９は、カバー５５８の右側方向に突出する円柱形状の突起である。一方、回動軸部５６０は、カバー５５８の左側方向に突出する円柱形状の突起である。
【０１１２】
図１７（ｂ）に前側板６４２にカバー５５８が取り付けられる部分の拡大図を示す。また図１７（ｂ）は、前側板６４２に取り付けられたカバー５５８の斜視図である。図１７（ｂ）に示すように、前側板６４２には、カバー５５８の回動軸部５５９が嵌合する軸受部材６２１と、回動軸部５６０が嵌合する軸受部材６２２と、が設けられている。図１７（ｃ）に示すように、カバー５５８の回動軸部５５９が前側板６４２の軸受部材６２１に回動可能に嵌合し、回動軸部５６０が前側板６４２の軸受部材６２２に回動可能に嵌合している。図１７（ａ）に示すように、回動軸部５５９の回動軸線と回動軸部５６０の回動軸線は回動軸線５６３上にある。カバー５５８は画像形成装置１本体に対して回動軸線５６３を回動中心として開閉する。閉じられたカバー５５８はドラムユニット５１８、現像ユニット６４１の挿抜経路上に位置する。そのため、カバー５５８が閉状態であると、作業者はドラムユニット５１８、現像ユニット６４１の交換作業を行うことができない。作業者は、カバー５５８を開くことによってドラムユニット５１８を交換することができ、作業終了後にカバー５５８を閉じる。
【０１１３】
次に、図１８〜図２１を用いて、カバー５５８の開閉動作に連動してスライド部５２５が感光ドラム１０３の回動軸線方向にスライド移動する構成について詳しく説明する。
【０１１４】
図１８（ａ）〜（ｄ）は開状態から閉状態に向けて回動するカバー５５８を示す斜視図である。図１９（ａ）〜（ｄ）は開状態から閉状態に向けて回動するカバー５５８を示す断面図である。図１８（ａ）、および図１９（ａ）はカバー５５８の開状態を示している。図１８（ｄ）、および図１９（ｄ）はカバー５５８の閉状態を示している。図１８（ｂ）および図１９（ｂ）、並びに図１８（ｃ）および図１９（ｃ）は、開状態から閉状態に移行するカバー５５８を示す図である。なお、図１８（ｄ）、および図１９（ｄ）に示す閉状態のカバー５５８は、本体に係合するスナップフィット機構や回動防止のストッパーなどによって閉状態を維持する。
【０１１５】
図１８（ａ）〜（ｄ）に示すように、カバー５５８は画像形成装置１本体に対して回動軸線５６３を中心に回動する。それに伴って、図１９（ａ）〜（ｄ）の移動軌跡５６４のように加圧部５６１も回動軸線５６３を中心に回動する。カバー５５８は左側から右側に向けて突出する円筒状の加圧部５６１を備える。図１８に示すように、加圧部５６１はスライド部５２５の一端に取り付けられた収納スペース５６２に位置する。
【０１１６】
図１９（ａ）〜（ｄ）を用いて加圧部５６１のスライド部５２５に対する作用について説明する。図１９（ａ）の状態からカバー５５８が時計回りに回動すると、加圧部５６１が移動軌跡５６４上に位置し、移動軌跡５６４に交差する第１被押圧部５６６に当接する（図１９（ｂ））。この状態からさらにカバー５５８が時計回りに回動すると、加圧部５６１は第１被押圧部５６６に摺擦しながら第１被押圧部５６６を前側に押圧する。それにより、スライド補助部材５３９が前側に移動する。スライド補助部材５３９はスライド部５２５に固定されているため、スライド部５２５もスライド補助部材５３９の移動に連動して前側にスライド移動する。
【０１１７】
さらに、カバー５５８が時計回りに回動すると、加圧部５６１は第１被押圧部５６６上から第２被押圧部５６７上に移動する（図１９（ｃ））。第２被押圧部５６７は、加圧部５６１の移動軌跡５６４に凡そ沿う形状の曲面をなしている。そのため、図１９（ｃ）の状態からカバー５５８がさらに時計回りに回動した場合、加圧部５６１は第２被押圧部５６７に接触して上側に移動するが、加圧部５６１からスライド補助部材５３９をさらに前側にスライド移動させる力は付与されない。
【０１１８】
図１８（ｃ）及び図１９（ｃ）より、カバー５５８が開状態から閉状態に向けて回動し、保持体５０５が露光位置となった直後、加圧部５６１は収納スペース５６２の前側の第２被押圧部５６７に当接している。第２被押圧部５６７は加圧部５６１の移動軌跡５６４に凡そ沿う形状、すなわち、回動軸線５６３を中心とする円弧形状をなしている。そのため、図１９（ｃ）の状態からカバー５５８がさらに時計回りに回動した場合、加圧部５６１は第２被押圧部５６７に当接した状態で滑りながら移動する。しかしながら、加圧部５６１からスライド補助部材５３９をさらに前側にスライド移動させる力は付与されない。そのため、加圧部５６１が第２被押圧部５６７上を移動する間、スライド補助部材５３９が後側から前側に向けて移動することはない。つまり、本実施例の移動機構６４０は、加圧部５６１が第１被押圧部５６６上に当接した状態でカバー５５８が回動すると、スライド部５２５は加圧部５６１の移動に連動してスライド移動するが、加圧部５６１が第２被押圧部５６７上に当接した状態においてカバー５５８が回動してもスライド部５２５はスライド移動しないように構成されている。図１９（ｃ）の状態からさらにカバー５５８が時計回りに回動すると、カバー５５８は図１９（ｄ）に示す閉状態となる。
【０１１９】
図２０（ａ）〜（ｄ）は閉状態から開状態に向けて回動するカバー５５８を示す斜視図である。図２１（ａ）〜（ｄ）は開状態から閉状態に向けて回動するカバー５５８を示す断面図である。図２０（ａ）、および図２１（ａ）はカバー５５８の閉状態を示している。図２０（ｄ）、および図２１（ｄ）はカバー５５８の開状態を示している。図２０（ｂ）および図２１（ｂ）、並びに図２０（ｃ）および図２１（ｃ）は、閉状態から開状態に移行するカバー５５８を示す図である。
【０１２０】
図２１（ａ）に示すカバー５５８が閉状態において、光プリントヘッド１０５の自重および後述するバネの復元力によってスライド部５２５には第１リンク機構８６１および第２リンク機構８６２を介して前側から後側にスライドする力が作用する。しかしながら、閉状態のカバー５５８は回動しないように画像形成装置１本体に対して固定されており、加圧部５６１がスライド補助部材５３９の後側への移動を制限しているため、スライド部５２５が後側にスライド移動しない。
【０１２１】
図２１（ａ）からカバー５５８が反時計回りに回動すると、図２１（ｂ）に示すように加圧部５６１が第３被押圧部５６８に当接する。図２１（ｂ）の状態からさらにカバー５５８が反時計回りに回動すると、図２１（ｂ）（ｃ）に示すように加圧部５６１が第３被押圧部５６８を前側から後側に向かって押圧するため、スライド部５２５が後側に向かって移動する。その後、さらにカバー５５８が反時計回りに回動すると、図２１（ｄ）に示すようにカバー５５８が開状態になる。
【０１２２】
加圧部５６１が第３被押圧部５６８を押圧する機構は次の理由により設けられている。すなわち、図２０（ａ）の状態からカバー５５８を反時計回りに回動させて加圧部５６１によるスライド補助部材５３９に対する移動の制限が解除されても、各リンク部材同士の摩擦力やリンク部材６５１またはリンク部材６５３とスライド部５２５との摩擦力、リンク部材６５２またはリンク部材６５４と第３支持部５２６との摩擦力が大きいと、スライド部５２５が後側に移動しない場合が考えられる。つまり、カバー５５８を開いてもスライド部５２５がスライド移動しない場合が考えられる。それに対して、カバー５５８を開くことによってスライド部５２５が後側に向かって移動するように、本実施例の移動機構は加圧部５６１が第３被押圧部５６８を押圧する機構を含んでいる。
【０１２３】
以上の構成により、メンテナンスを行う作業者がカバー５５８を開閉させることで、カバー５５８の移動に連動してスライド部５２５が第３支持部５２６に対してスライド移動する。
【０１２４】
次に、保持体５０５とリンク部材１５１との接続機構について説明する。なお、以下で説明する保持体５０５とリンク部材１５１との接続機構は、保持体５０５とリンク部材６５１との接続機構と実質的に同一の機構である。図２２（ａ）、（ｃ）は、前後方向における保持体５０５の一端側を示す斜視図である。図２２（ｂ）、（ｄ）は、前後方向における保持体５０５の他端側を示す斜視図である。
【０１２５】
図２２（ａ）に示すように、保持体５０５は、レンズアレイ５０６が取り付けられるレンズ取付部７０１と、コイルばね５４７が取り付けられるバネ取付部６６１と、コイルばね５４８が取り付けられるバネ取付部６６２と、当接ピン５１４が取り付けられるピン取付部６３２と、当接ピン５１５が取り付けられるピン取付部６３３と、を備える。保持体５０５は、レンズ取付部７０１、基板取付部７０２（不図示）、バネ取付部６６１、バネ取付部６６２が一体的に射出成形された樹脂製の成形物である。前後方向において、レンズ取付部７０１の一端側にバネ取付部６６１が配置され、バネ取付部６６１よりもさらに保持体５０５の端部側にピン取付部６３２が配置されている。また、前後方向において、レンズ取付部７０１の他端側にバネ取付部６６２が配置され、バネ取付部６６２よりもさらに保持体５０５の端部側にピン取付部６３２が配置されている。保持体５０５において、レンズ取付部７０１、バネ取付部６６１、ピン取付部６３２が形成されている箇所を図示するとそれぞれ、Ｃの領域、Ｂの領域、Ａの領域で示す箇所となる。一体の射出成形された樹脂製の保持体５０５は、レンズアレイ５０６より前側、当接ピン５１４より後側においてコイルばね５４７を介しリンク部材１５１の突起１５５によって下側から上側に向けて付勢力が付与される。また、図２２（ｃ）を用いて、レンズ取付部７０１、バネ取付部６６２、ピン取付部６３３が形成されている箇所を図示するとそれぞれ、Ｃの領域、Ｄの領域、Ｅの領域で示す箇所となる。保持体５０５は、レンズアレイ５０６より後側、当接ピン５１５より前側においてコイルばね５４８を介しリンク部材１５２の突起１５６によって下側から上側に向けて付勢力が付与される。
【０１２６】
まず、バネ取付部６６１について説明する。バネ取付部６６１は、第１壁部７５１、第２壁部７５２、第１係合部５４３、第２係合部５４４を含む。第１壁部７５１は左右方向における保持体５０５の一端側に配置され、第２壁部７５２は左右方向における保持体５０５の他端側に設けられている。本実施例において、左右方向において第１壁部７５１および第２壁部７５２は当接ピン５１４の両側に配置されている。図２２（ａ）に示すように、第１壁部７５１と第２壁部７５２はそれぞれ互いに対面する内壁面を含む。第１壁部７５１には開口７５５が形成され、第２壁部７５２には開口７５６が形成されている。開口７５５および開口７５６は上下方向に延びる長孔である。開口７５５および開口７５６には突起１５５が挿入されている。突起１５５は開口７５５および開口７５６に対して嵌合されておらず、前後方向において最も狭いところで０．５ｍｍ程度の間隙を以て挿入されている。そのため、突起１５５は、開口７５５および開口７５６の内壁面から大きな摩擦力を受けることなく、開口７５５および開口７５６によって上下方向にその移動方向を案内される。
【０１２７】
図２２（ｂ）は、図２２（ａ）から第１壁部７５１を取り除いた図面である。左右方向において第１壁部７５１と第２壁部７５２との間に第１係合部５４３と第２係合部５４４が配置されている。また、前後方向において、この第１係合部５４３と第２係合部５４４はそれぞれ開口７５５と開口７５６との間に配置されている。本実施例において、第１係合部５４３は第２係合部５４４よりも保持体５０５の端部側に配置されている。第１係合部５４３および第２係合部５４４は、保持体５０５の第１壁部７５１と第２壁部７５２とを連結する連結部分から下方に突出する突起である。第１係合部５４３にはコイルばね５４７の一端が係合され、第２係合部５４４にはコイルばね５４７の他端が係合される。第１係合部５４３と第２係合部５４４とに係合したコイルばね５４７が開口７５５および開口７５６を横断するように、第１係合部５４３および第２係合部５４４はバネ取付部６６１に配置されている。
【０１２８】
上下方向において、第１係合部５４３と第２係合部５４４は互いに異なる位置に配置されている。本実施例において、第１係合部５４３が第２係合部５４４よりも感光ドラム１０３側に配置されている。なお、第１係合部５４３と第２係合部５４４は上下方向において同一に設けても良いし、第２係合部５４４が第１係合部５４３よりも感光ドラム１０３側に配置されていても良い。
【０１２９】
図２２（ｂ）に示すように、突起１５５は、第２壁部７５２の外壁面側から開口７５６に挿入され、第１係合部５４３と第２係合部５４４に架け渡されたコイルばね５４７の下を通り、第１壁部７５１の開口７５５に挿入されている。
【０１３０】
次に、バネ取付部６６２について説明する。図２２（ｃ）に示すように、バネ取付部６６２は、第３壁部７５３、第４壁部７５４、第３係合部５４５、第４係合部５４６を含む。第３壁部７５３は左右方向における保持体５０５の一端側に配置されており、第４壁部７５４は左右方向における保持体５０５の他端側に設けられている。本実施例において、左右方向において第３壁部７５３および第４壁部７５４は当接ピン５１５の両側に配置されている。第１壁部７５１と第３壁部７５３は左右方向において同じ側、すなわち、第１壁部７５１と第３壁部７５３は左右方向において保持体５０５の右側に配置されている。第２壁部７５２と第４壁部７５４は左右方向において同じ側、すなわち、第２壁部７５２と第４壁部７５４は左右方向において保持体５０５の左側に配置されている。
【０１３１】
図２２（ｃ）に示すように、第３壁部７５３と第４壁部７５４はそれぞれ互いに対面する内壁面を含む。第３壁部７５３には開口７５７が形成され、第４壁部７５４には開口７５８が形成されている。開口７５７および開口７５８は上下方向に延びる長孔である。開口７５７および開口７５８には突起１５６が挿入されている。突起１５６は開口７５７および開口７５８に対して嵌合されておらず、前後方向において最も狭いところで０．５ｍｍ程度の間隙を以て挿入されている。そのため、突起１５６は、開口７５７および開口７５８の内壁面から大きな摩擦力を受けることなく、開口７５７および開口７５８によって上下方向にその移動方向を案内される。
【０１３２】
図２２（ｄ）は、図２２（ｃ）から第３壁部７５３を取り除いた図面である。左右方向において第３壁部７５３と第４壁部７５４との間に第３係合部５４５と第４係合部５４６が配置されている。また、前後方向において、この第３係合部５４５と第４係合部５４６はそれぞれ開口７５７および開口７５８との間に配置されている。本実施例において、第４係合部５４６は第３係合部５４５よりも保持体５０５の端部側に配置されている。第３係合部５４５および第４係合部５４６は、保持体５０５の第３壁部７５３と第４壁部７５４とを連結する連結部分から下方に突出する突起である。第３係合部５４５にはコイルばね５４８の一端が係合され、第４係合部５４６にはコイルばね５４８の他端が係合される。第３係合部５４５と第４係合部５４６とに係合したコイルばね５４８が開口７５７および開口７５８を横断するように、第３係合部５４５および第４係合部５４６はバネ取付部６６２に配置されている。
【０１３３】
上下方向において、第３係合部５４５と第４係合部５４６は互いに異なる位置に配置されている。本実施例において、第３係合部５４５が第４係合部５４６よりも感光ドラム１０３側に配置されている。なお、第３係合部５４５と第４係合部５４６は上下方向において同一に設けても良いし、第４係合部５４６が第３係合部５４５よりも感光ドラム１０３側に配置されていても良い。
【０１３４】
図２２（ｄ）に示すように、突起１５６は、第４壁部７５４の外壁面側から開口７５８に挿入され、第３係合部５４５と第４係合部５４６に架け渡されたコイルばね５４８の下を通り、第３壁部７５３の開口７５７に挿入されている。
【０１３５】
なお、本実施例では、コイルばね５４７およびコイルばね５４８の一例としてコイル状のバネを示すが、板バネを用いても構わない。
【０１３６】
次に、リンク部材１５１に設けられた突起１５５のコイルばね５４７に対する作用、およびリンク部材１５２に設けられた突起１５６のコイルばね５４８に対する作用を図２３を用いて説明する。突起１５５のコイルばね５４７に対する作用と突起１５６のコイルばね５４８に対する作用は実質的に同様であるので、図２３では突起１５６のコイルばね５４８に対する作用を例示する。
【０１３７】
図２３（ａ）は保持体５０５に設けられた当接ピン５１５がドラムユニット５１８の当接面５５１から退避した状態を示す図である。図２３（ｂ）は当接ピン５１５がドラムユニット５１８の当接面５５１に当接した時点を示す図である。図２３（ｃ）は、図２３（ｂ）の状態からリンク部材１５２が反時計回りに回動した状態を示す図である。
【０１３８】
図２３（ａ）の状態において、スライド部５２５がスライド移動すると、それに連動してリンク部材１５２が反時計回りに回動し、突起１５６が上側に移動する。このとき、突起１５６がコイルばね５４８を上側に向かって押圧する。突起１５６がコイルばね５４８を上側に向かって押圧すると、第３係合部５４５および第４係合部５４６を介して保持体５０５に対して上側に力が作用する。当接ピン５１５はドラムユニット５１８に非接触であり、光プリントヘッド１０５に作用する重力を除いて突起１５６がコイルばね５４８を押圧する力に抗する力が存在しない。そのため、第３係合部５４５および第４係合部５４６に上側に向かって作用する力が光プリントヘッド１０５に作用する重力よりも大きくなると、保持体５０５が第３係合部５４５および第４係合部５４６に作用する力によって上側に移動する。ここで、保持体５０５が退避位置である時、当接ピン５１５（５１４）の下端や保持体５０５を装置本体で支え、リンク部材１５２（１５１）の突起１５６（１５５）がコイルばね５４８（５４７）と非接触となるようにしても構わない。
【０１３９】
保持体５０５が上側に移動すると、図２３（ｂ）に示すように当接ピン５１５がドラムユニット５１８の当接面５５１に当接する。図２３（ｂ）は光プリントヘッド１０５が露光位置に配置されているが、光プリントヘッド１０５に作用するドラムユニット５１８に付勢する付勢力が不十分である。そのため、光プリントヘッド１０５に上記付勢力を付与するために、本実施例の移動機構１４０は、図２３（ｂ）の状態からさらにリンク部材１５２が回動可能な構成となっている。
【０１４０】
図２３（ｂ）の状態からさらにリンク部材１５２が反時計回りに回動しても、当接ピン５１５がドラムユニット５１８の当接面５５１に当接しているため、保持体５０５の位置は変化しない。一方、突起１５６は上側方向に移動するため、コイルばね５４８は第３係合部５４５と第４係合部５４６との間を突起１５６によって押圧されて図２３（ｃ）に示すように屈曲して伸長する。
【０１４１】
図２３（ｃ）の状態は、図１９（ｃ）および（ｄ）のカバー５５８の状態に対応する。すなわち、スライド部５２５はそれ以上前側にスライド移動しない状態となる。そのため、スライド部５２５がスライド移動しないため、リンク部材１５２は図２３（ｃ）に示す状態から反時計回りに回動することはなく、突起１５６も上側に移動することなく図２３（ｃ）の位置に静止する。この状態においてコイルばね５４８は収縮する力が第３係合部５４５および第４係合部５４６に作用する。第３係合部５４５および第４係合部５４６に作用するコイルばね５４８の収縮力の分力が上方向に向くため、保持体５０５にはドラムユニット５１８側に付勢する付勢力が作用し、保持体５０５は当接ピン５１５を介してドラムユニット５１８に付勢する。
【０１４２】
上記したように、第３係合部５４５が第４係合部５４６よりも感光ドラム１０３側に配置されているため、コイルばね５４８には突起１５６から矢印Ｎ方向の抗力が作用する。矢印Ｎ方向の抗力の分力が保持体５０５に作用する。そのため、当接ピン５１５には前後方向の後側に向かう力が作用し、当接面５５１に当接した当接ピン５１５は嵌合部６８５の奥側の後側壁面５９６に付勢して当接する。第１係合部５４３は第２係合部５４４よりも感光ドラム１０３側に配置されている理由も同様である。
【０１４３】
（清掃機構）
画像形成装置１において例えば光プリントヘッド１０５のような露光手段は帯電器１０４や現像器１０６との間に設けられる。したがって、光プリントヘッド１０５が備えるレンズアレイ５０６の光出射面が感光ドラム１０３や現像器１０６から落下したトナーによって汚れることがある。レンズアレイ５０６の光出射面の汚れは、発光素子から出射される光を部分的に遮光する可能性があり、出力画像の画質低下を生む一原因となる。そのため、光プリントヘッド１０５の光出射面は定期的に清掃されることが望ましい。
【０１４４】
図２４（ａ）は、レンズアレイ５０６の光出射面を清掃するために用いられる清掃部材５７２の概略斜視図である。ここで、図２４（ａ）に示すように、長手方向および短手方向を定義する。清掃部材５７２は、清掃部材５７２の長手方向における一端側（後端側）に把持部５７５を備える。後述するが、清掃部材５７２の長手方向における他端側（先端側）であって、清掃部材５７２の下側には摺擦部５７４が設けられている。図２４（ｂ）は、清掃部材５７２が第１支持部５２７に設けられた開口部７００に差し込まれ、摺擦部５７４がレンズアレイ５０６の光出射面を清掃している状態を示す。この状態において、長手方向は感光ドラム１０３の回転軸線方向に沿う方向であって前後方向を、また、短手方向は感光ドラム１０３の回転軸線方向とレンズの光軸方向とに交差する方向に沿う方向と一致する。図２４（ｂ）に示すように、清掃部材５７２を用いたレンズアレイ５０６の光出射面の清掃は、光プリントヘッド１０５が退避位置である場合に行われる。すなわち、ここで言う退避位置は、レンズアレイ５０６の光出射面を清掃するための清掃位置を意味する。開口部７００は、差し込まれた清掃部材５７２の摺擦部を退避位置に位置する光プリントヘッド１０５のレンズアレイ５０６の光出射面上に案内する。例えばユーザやサービスマン等の作業者は清掃部材５７２の後端側に設けられた把持部５７５を把持して操作（開口部７００に対して抜き差し）する。
【０１４５】
図２５（ａ）に清掃部材５７２を下側から見た図、図２５（ｂ）に清掃部材５７２を感光ドラム１０３の回転軸線に垂直な面で切断した断面図を示す。また、図２６に光プリントヘッド１０５の前側の概略斜視図を示す。図２６に示すように、保持体５０５の上側には、感光ドラム１０３の回転軸線方向に延び、右側および左側（感光ドラム１０３の回転軸線方向とレンズの光軸方向とに交差する方向の双方）に突出した凸部５８０を備えており、凸部５８０は間隙５７９を形成している。図２５（ａ）及び図２５（ｂ）に示すように、清掃部材５７２は摺擦部５７４と、係合部５７６と、下側凸部５７７と、上側凸部５７８と、を備える。
【０１４６】
摺擦部５７４は、清掃部材５７２の先端側（感光ドラム１０３の回転軸線方向における他端側）であって下側に設けられている。摺擦部５７４は、例えば、綿やナイロン、ポリエステル等の繊維で構成された不織布であり、レンズアレイ５０６の光出射面に落下したトナー等の汚れを拭き取り清掃する。また、摺擦部５７４は不織布に限らず、例えばスポンジやエラストマーのようなゴム製の弾性変形可能な部材であって、レンズアレイ５０６の光出射面に落下したトナー等の汚れをかきとることで清掃しても構わない。
【０１４７】
開口部７００に挿入された清掃部材５７２の係合部５７６は、短手方向において凸部５８０の外側から凸部５８０の下側と対向する位置、すなわち間隙５７９内に向けて突設しており、凸部５８０に係合する。凸部５８０の後端（前側の端部）には、図２６において色付きで示すテーパ部５８１が形成されている。テーパ部５８１は、凸部５８０の後端（前側の端部）であって、間隙５７９側に近付くほど後側に向けて傾斜している。当該テーパ部５８１は、開口部７００に挿入され挿入方向下流側に向けて移動する清掃部材５７２の係合部５７６を間隙５７９内に案内する機能を持つ。
【０１４８】
清掃部材５７２が備える当接部の一例である下側凸部５７７は、清掃部材５７２の下側において保持体５０５の上側に対向するように、長手方向に沿って形成されている。図２７（ａ）は、清掃部材５７２が開口部７００に挿入された状態において、感光ドラム１０３の回転軸線に垂直な方向であって清掃部材５７２が挿入された開口部７００を切断した断面図である。図２７（ｂ）は、光プリントヘッド１０５の間隙５７９に係合する清掃部材５７２を感光ドラム１０３の回転軸線に垂直な方向で切断した断面を前側から見た図を示す。
【０１４９】
図２７（ａ）に示すように清掃部材５７２と開口部７００の内側とは０．５ｍｍ程度の隙間を以て緩嵌した上で、清掃部材５７２は長手方向に交差する方向への移動が制限される。すなわち、開口部７００に挿入された清掃部材５７２は、開口部７００によって感光ドラム１０３の回転軸線に沿う方向（前後方向）へ移動するように移動が制限される。これにより、開口部７００に挿入され、挿入方向下流側に移動する清掃部材５７２の係合部５７６の下流側端部（先端側の端部）は、清掃位置である退避位置に位置する光プリントヘッド１０５の凸部５８０の上流側端部（一端側の端部）に係合する。
【０１５０】
光プリントヘッド１０５と係合した清掃部材５７２の位置は、摺擦部５７４とレンズアレイ５０６の光出射面とが接触する位置となる。また、この時、光プリントヘッド１０５は退避位置に位置する。前述の通り、光プリントヘッド１０５の退避位置は、露光位置から下側に向けて移動する保持体５０５の下側が、突き当て部（停止機構）の一例としての第１座面５８６（第１突き当て部の一例でもある）および第２座面５８７（第２突き当て部の一例でもある）に対して、鉛直方向上側から突き当たった状態における光プリントヘッド１０５の位置である。すなわち、開口部７００に差し込まれ挿抜される清掃部材５７２に設けられた摺擦部５７４の移動経路上に、第１座面５８６と第２座面５８７とに当接した保持体５０５が備えるレンズアレイ５０６の光出射面が重なるように位置する。なお、第１座面５８６（及び第２座面５８７）は第１支持部５２７（及び第２支持部５２８）に一体成形されていることが望ましいが、別部材で構成されていても構わない。ここで、光プリントヘッド１０５を退避位置とする機能を持つ突き当て部（停止機構）として、少なくとも、第１支持部５２７が第１座面５８６を備えれば十分である。すなわち、第１支持部５２７が第１座面５８６を具備し、第２支持部５２８は第２座面５８７を具備しない構成でも構わない。これは、仮に第１支持部５２７が第１座面５８６を具備していないと、保持体５０５の一端側が自重によって下側に撓み、開口部７００と近接するレンズアレイ５０６の光出射面と清掃部材５７２の摺擦部５７４とが接触しない可能性があるためである。
【０１５１】
また、開口部７００及び清掃部材５７２は、例えば清掃部材５７２を上下逆にした状態で開口部７００に差し込まれようとした場合、開口部７００と清掃部材５７２は嵌合しないという特徴がある。すなわち開口部７００は、ユーザやサービスマン等の作業者が、清掃部材５７２を誤って上下逆に開口部７００に挿入することを防止する。
【０１５２】
図２７（ｂ）に示すように、清掃部材５７２が開口部７００から挿入されると下側凸部５７７は保持体５０５の上側に形成されたレンズ取付部７０１の上面に当接する。これにより、開口部７００から挿入された清掃部材５７２の下側とレンズアレイ５０６の光出射面との間に間隙が形成される。よって、開口部７００に差し込まれ光プリントヘッド１０５と係合した清掃部材５７２がレンズアレイ５０６の光出射面と接触する部分は摺擦部５７４のみとなり、清掃部材５７２の摺擦部５７４以外の部分がレンズアレイ５０６の光出射面と接触することを防ぐことができる。
【０１５３】
図２８に、感光ドラム１０３の回転軸線方向に垂直な方向に当接ピン５１４を切断した断面図を当接ピン５１５と合わせて示す。図２８より保持体５０５の上側から突き出た当接ピン５１４の長さは保持体５０５の上側から突き出た当接ピン５１５の長さより短く、当接ピン５１４の上端はレンズアレイ５０６の光出射面の位置より下側であることが分かる。以下、図２８を用いて当接ピン５１４の上端の位置がレンズアレイ５０６の光出射面の位置より下側であることの理由を説明する。
【０１５４】
保持体５０５が当接ピン５１４及び当接ピン５１５を具備する理由の一つは、前述の通り、レンズアレイ５０６の光出射面と感光ドラム１０３との間に間隙を形成するためである。この目的を達成するための当接ピン５１４及び当接ピン５１５の構造としては、当接ピン５１４の保持体５０５の上側からの突き出し長さを当接ピン５１５と同程度すなわち当接ピン５１４の上端の位置をレンズアレイ５０６の光出射面より上側とする構造でも構わない。しかしながら、そのような構造とした場合、画像形成装置１本体の外側から開口部７００に差し込まれた清掃部材５７２の移動経路上に当接ピン５１４が存在することになり、清掃部材５７２を開口部７００に差し込まれ、挿入方向下流側に移動していくと、清掃部材５７２と当接ピン５１４とが接触してしまう。したがって、レンズアレイ５０６の光出射面を十分に清掃することが難しくなる。
【０１５５】
上述した理由から、図２８に示すように保持体５０５の上側から突き出す当接ピン５１４の長さは保持体５０５の上側から突き出す当接ピン５１５の長さより短く、当接ピン５１４の上端はレンズアレイ５０６の光出射面の位置より下側となるようにしている。
【０１５６】
以上、説明したように、実施例１の画像形成装置１は、突き当て部（停止機構）の一例として第１座面５８６と、第２座面５８７と、を備える。移動機構１４０（６４０、８４０、９４０）によって露光位置から退避位置（清掃位置）に向けて移動する光プリントヘッド１０５の保持体５０５が、第１座面５８６および第２座面５８７に対して、鉛直方向上側から突き当たる。これにより、開口部７００に挿入される清掃部材５７２に設けられた摺擦部５７４の移動経路上に、第１座面５８６および第２座面５８７に当接した保持体５０５が備えるレンズアレイ５０６の光出射面が重なるように位置する。したがって、清掃部材５７２が開口部７００に対し挿入されることで、レンズアレイ５０６の光出射面を十分に清掃することができる。
【０１５７】
（実施例２）
また、光プリントヘッド１０５を退避位置（清掃位置）とする機構としては、前述の第１座面５８６や第２座面５８７のように保持体５０５が当接することで、保持体５０５が下側へ移動することを制限する機構に限らず、次に説明するような機構でも構わない。
【０１５８】
図２９（ａ１）に、突き当て部（停止機構）の一例としてスライド部５２５に設けられた長尺の開口である長孔６９１を利用した構造を示す。
【０１５９】
図２９（ａ１）に示す機構は、光プリントヘッド１０５の露光位置から退避位置へ向かう方向への移動と共にスライド移動するスライド部５２５のスライド移動を停止させ、光プリントヘッド１０５を退避位置とする機構である。
【０１６０】
図２９（ａ１）よりスライド部５２５は長孔６９１を備える。また、長孔６９１は当接部５９１を備える。当接部５９１は長孔６９１の縁のうち前側の縁に形成されている。
【０１６１】
長孔６９１はスライド部５２５に形成されているため、スライド部５２５のスライド移動と共に移動する。支持軸５３１と当接部５９１とは感光ドラム１０３の回転軸線方向において対向して配置されている。また、支持軸５３１は第３支持部５２６にＥ型止め輪５３３によって固定されており、長孔６９１に対し例えば上下方向において０．１〜０．５ｍｍ程度の隙間を以て緩嵌している。すなわち、スライド部５２５のスライド移動は支持軸５３１によって規制されており、長孔６９１の前後方向の範囲内（開口内）でスライド移動可能である。ここで、支持軸５３１は、カバー５５８が閉状態である時の長孔６９１の当接部５９１より後側に配置されている。そのため、カバー５５８を閉状態とするまで長孔６９１の当接部５９１と支持軸５３１とが接触することはない。
【０１６２】
図２９（ａ２）に示すように、感光ドラム１０３の回転軸線方向における長孔６９１の範囲を矢印Ｘ方向に変化させることでスライド部５２５のスライド移動可能範囲を変化させることが可能である。
【０１６３】
例えば図２９（ａ２）に示すように、長孔６９１の前側の縁を図２９（ａ１）と比べて支持軸５３１に近くなるように長孔６９１の前後方向の範囲を狭める。すると、光プリントヘッド１０５を退避位置とした時の第３支持部５２６から保持体５０５までの上下方向の距離は長孔６９１の範囲を狭める前の光プリントヘッド１０５を退避位置とした時の第３支持部５２６から保持体５０５までの上下方向の距離と比べて大となる。
【０１６４】
以上の構成により、スライド部５２５前側から後側に向けてスライド移動すると、支持軸５３１が長孔６９１の前側の端部に当該スライド移動方向とは逆方向（後側から前側へと向かう方向）に突き当たり、スライド部５２５のスライド移動とリンク部材６５１の回動が停止し、保持体５０５が退避位置となる。以上により、開口部７００に差し込まれ挿抜される清掃部材５７２に設けられた摺擦部５７４の移動経路上に、保持体５０５が備えるレンズアレイ５０６の光出射面が重なるように位置する。
【０１６５】
以上、説明したように、実施例２の画像形成装置１は、突き当て部（停止機構）の一例としてスライド部５２５の長孔６９１を用いる。長孔６９１は、光プリントヘッド１０５を露光位置から退避位置に向けて移動させるスライド部５２５のスライド移動を停止させ、光プリントヘッド１０５を退避位置とする機能を有する。これにより、開口部７００に差し込まれ挿抜される清掃部材５７２に設けられた摺擦部５７４の移動経路上に、退避位置となった保持体５０５が備えるレンズアレイ５０６の光出射面が位置する。したがって、清掃部材５７２を開口部７００に対し挿抜することで、レンズアレイ５０６の光出射面を十分に清掃することができる。
【０１６６】
（実施例３）
また、光プリントヘッド１０５を退避位置とする機構としては、図２９（ｂ）に説明するように、突き当て部（停止機構）の一例として当接部材９８２を用いてリンク部の一例としてのリンク部材６５１の回動を停止させる機構でも構わない。当該機構について図２９（ｂ）を用いて詳細を説明する。
【０１６７】
図２９（ｂ）は、実施例３における突き当て部（停止機構）を説明するための図である。
【０１６８】
図２９（ｂ）に示すように、突き当て部（停止機構）の一例としての当接部材９８２が第３支持部５２６に対して固定されている。当接部材９８２は第３支持部５２６においてスライド部５２５側に立設した、例えば円柱状の突起である。当接部材９８２は、リンク部材６５１が備える軸受部６１０と感光ドラム１０３の回転軸線方向において対向して配置されている。スライド部５２５の前側から後側へ向けての移動に伴い、リンク部材６５１が備える軸受部６１０が当接部材９８２に当接するとスライド部５２５のスライド移動とリンク部材６５１の回動とが停止し、光プリントヘッド１０５が退避位置となる。ここで、当接部材９８２は、カバー５５８が閉状態である時のリンク部材６５１の軸受部６１０より後側に配置されている。そのため、カバー５５８を閉状態とするまで軸受部６１０と当接部材９８２とが接触することはない。
【０１６９】
光プリントヘッド１０５を退避位置とした時の第３支持部５２６から保持体５０５までの上下方向の距離は、当接部材９８２が第３支持部５２６において前側に配置されている程、大となる。
【０１７０】
なお、ここでは当接部材９８２を第３支持部５２６に対して固定したが、固定する部材は第３支持部５２６に限らず第３支持部５２６に対して移動しない部材であれば構わない。
【０１７１】
以上、説明したように、実施例２の画像形成装置１は、突き当て部（停止機構）の一例として当接部材９８２を備える。当接部材９８２は、回動しながら保持体５０５を露光位置から退避位置に向けて移動させるリンク部材の回動を停止させ、保持体５０５を退避位置とする。これにより、開口部７００に挿入される清掃部材５７２に設けられた摺擦部５７４の移動経路上に、退避位置となった保持体５０５が備えるレンズアレイ５０６の光出射面が重なるように位置する。したがって、清掃部材５７２を開口部７００に対し挿入されることで、レンズアレイ５０６の光出射面を十分に清掃することができる。
【符号の説明】
【０１７２】
５２７  第１支持部
５８６  第１座面
７００  開口部
【図１】
2019001104.tif 000003
【図２】
2019001104.tif 000004
【図３】
2019001104.tif 000005
【図４】
2019001104.tif 000006
【図５】
2019001104.tif 000007
【図６】
2019001104.tif 000008
【図７】
2019001104.tif 000009
【図８】
2019001104.tif 000010
【図９】
2019001104.tif 000011
【図１０】
2019001104.tif 000012
【図１１】
2019001104.tif 000013
【図１２】
2019001104.tif 000014
【図１３】
2019001104.tif 000015
【図１４】
2019001104.tif 000016
【図１５】
2019001104.tif 000017
【図１６】
2019001104.tif 000018
【図１７】
2019001104.tif 000019
【図１８】
2019001104.tif 000020
【図１９】
2019001104.tif 000021
【図２０】
2019001104.tif 000022
【図２１】
2019001104.tif 000023
【図２２】
2019001104.tif 000024
【図２３】
2019001104.tif 000025
【図２４】
2019001104.tif 000026
【図２５】
2019001104.tif 000027
【図２６】
2019001104.tif 000028
【図２７】
2019001104.tif 000029
【図２８】
2019001104.tif 000030
【図２９】
2019001104.tif 000031